(57)【特許請求の範囲】
【請求項１】
グループベースのマシンツーマシン通信を行うための方法であって、
通信ネットワークから指示を受信するステップであり、前記指示はＩＰアドレスに関連付けられた情報を含み、前記ＩＰアドレスが複数のマシンタイプ通信（ＭＴＣ）送受信ユニット（ＷＴＲＵ）を含むＭＴＣグループに割り振られ、前記ＩＰアドレスがＭＴＣ  ＷＴＲＵのネットワーク登録プロセスの前に前記通信ネットワークにより割り振られる、ステップと、
前記受信した指示に基づいて前記ＩＰアドレスを取得するステップと、
所定の送信ウィンドウで、前記取得されたＩＰアドレスを用いてデータを送信するステップと
を備えることを特徴とする方法。
【請求項２】
前記ＩＰアドレスの割振りは、ＭＴＣアクセスサーバからのサービス要求によりトリガされることを特徴とする請求項１に記載の方法。
【請求項３】
前記通信ネットワークからの前記指示は、前記ＭＴＣグループに割り振られた無線リソースに関連付けられた情報をさらに含み、前記方法は、前記受信した指示に基づいて、前記無線リソースを取得するステップをさらに備えることを特徴とする請求項１に記載の方法。
【請求項４】
スリープサイクルからウェイクアップするステップと、
前記通信ネットワークからのページングまたはブロードキャストの少なくとも一方を待ち受けるステップであり、前記ＩＰアドレスに関連付けられた情報を含む前記指示が、ページングまたはブロードキャストの前記少なくとも一方を介して受信される、ステップと、
前記ＭＴＣ  ＷＴＲＵがデータ送信を完了するとスリープサイクルに戻るステップと
をさらに備えることを特徴とする請求項１に記載の方法。
【請求項５】
前記割り振られたＩＰアドレスは、前記ＭＴＣ  ＷＴＲＵがデータ送信を完了すると解放されることを特徴とする請求項１に記載の方法。
【請求項６】
前記割り振られたＩＰアドレスは、前記ＭＴＣ  ＷＴＲＵがデータ送信を完了すると維持されることを特徴とする請求項１に記載の方法。
【請求項７】
グループベースのマシンツーマシン通信を行うように構成されたワイヤレス送受信ユニット（ＷＴＲＵ）であって、
通信ネットワークから指示を受信し、前記指示はＩＰアドレスに関連付けられた情報を含み、前記ＩＰアドレスがマシンタイプ通信（ＭＴＣ）グループのマスタＭＴＣ  ＷＴＲＵを介して前記ＭＴＣグループに割り振られ、前記ＭＴＣグループが複数のＭＴＣ  ＷＴＲＵを含み、および
所定の送信ウィンドウで前記割り振られたＩＰアドレスを用いてデータを送信する
ように構成された送受信器と、
前記受信した指示に基づいて前記ＩＰアドレスを取得し、および
データを送信するために、前記ＷＴＲＵに関連付けられた前記所定の送信ウィンドウを決定する
ように構成されたプロセッサと
を備えることを特徴とするＷＴＲＵ。
【請求項８】
前記ＷＴＲＵは前記ＭＴＣグループの前記マスタＭＴＣ  ＷＴＲＵとして動作し、前記プロセッサは、前記ＭＴＣグループのためにネットワーク登録を行うようにさらに構成されることを特徴とする請求項７に記載のＷＴＲＵ。
【請求項９】
前記ＷＴＲＵは前記ＭＴＣグループの前記マスタＭＴＣ  ＷＴＲＵとして動作し、前記送受信器は、前記ＭＴＣグループのためにネットワーク登録要求を送るようにさらに構成され、前記通信ネットワークからの前記指示は、前記ネットワーク登録要求に応じて送信されることを特徴とする請求項７に記載のＷＴＲＵ。
【請求項１０】
前記ネットワーク登録要求は、前記ＭＴＣグループに関連付けられたグループ国際移動体加入者識別番号（ＩＭＳＩ）を含むことを特徴とする請求項９に記載のＷＴＲＵ。
【請求項１１】
前記ネットワーク登録要求は、前記ＭＴＣグループに関連付けられたグループ国際移動体加入者識別番号（ＩＭＳＩ）と、少なくとも１つのＭＴＣ  ＷＴＲＵ識別子とを含むことを特徴とする請求項９に記載のＷＴＲＵ。
【請求項１２】
前記送受信器は、
スリープサイクルからウェイクアップするとブロードキャストチャネルで待ち受け、
国際移動体加入者識別番号（ＩＭＳＩ）を含むブロードキャストメッセージを受信する
ようにさらに構成され、
前記プロセッサは、
前記ＩＭＳＩが前記ＭＴＣグループに関連付けられたグループＩＭＳＩに一致するかどうかを判定し、
前記ＩＭＳＩが、前記ＭＴＣグループに関連付けられた前記グループＩＭＳＩに一致するという判定に基づき、前記受信したブロードキャストメッセージを処理する、
ようにさらに構成されることを特徴とする請求項７に記載のＷＴＲＵ。
【請求項１３】
前記ＷＴＲＵは前記ＭＴＣグループのスレーブＭＴＣ  ＷＴＲＵとして動作し、
前記送受信器は、
スリープサイクルからウェイクアップすると、前記ＭＴＣグループが前記ネットワークに接続されたという指示を求めるようにブロードキャストチャネルで待ち受け、および
前記ＭＴＣグループが前記ネットワークに接続されたという指示を受信すると、前記ＷＴＲＵに関連付けられた所定の送信ウィンドウの指示を求めるようにページングチャネルを監視する
ようにさらに構成されることを特徴とする請求項７に記載のＷＴＲＵ。
【請求項１４】
前記ＷＴＲＵは前記ＭＴＣグループのスレーブＭＴＣ  ＷＴＲＵとして動作し、
前記送受信器は、ページングメッセージを受信するようにさらに構成され、
前記プロセッサは、
前記ＷＴＲＵが制御サイクル中にあるかどうかを判定し、
前記ＷＴＲＵが制御サイクル中にあるという判定に基づき、前記受信したページングメッセージが前記ＭＴＣグループを対象としているかどうかを判定し、および
前記受信したページングメッセージが前記ＭＴＣグループを対象としているという判定に基づき、前記ＭＴＣグループのマスタＭＴＣ  ＷＴＲＵが、前記ＭＴＣグループのためにネットワーク登録を行うのを待つ
ようにさらに構成されることを特徴とする請求項７に記載のＷＴＲＵ。
【請求項１５】
前記送受信器は、ページングメッセージを受信するようにさらに構成され、
前記プロセッサは、
前記ＷＴＲＵが制御サイクル中にあるかどうかを判定し、
前記ＷＴＲＵが制御サイクル中にあるという判定に基づき、前記受信したページングメッセージが前記ＭＴＣグループを対象としているか、それとも前記ＷＴＲＵを対象としているかを判定し、および
前記受信したページングメッセージは前記ＷＴＲＵを対象としているという判定に基づき、ＷＴＲＵ専用のＩＰアドレスおよび無線リソースを要求する
ようにさらに構成されることを特徴とする請求項７に記載のＷＴＲＵ。
【請求項１６】
前記ＩＰアドレスは、前記ＭＴＣグループとのマシンツーマシン通信を容易にするために、ＭＴＣアクセスサーバからのサービス要求があると、前記通信ネットワークにより割り振られることを特徴とする請求項７に記載のＷＴＲＵ。
【請求項１７】
前記ＷＴＲＵに関連付けられた前記所定の送信ウィンドウは、前記通信ネットワークからのページに基づいて決定されることを特徴とする請求項７に記載のＷＴＲＵ。
【請求項１８】
前記プロセッサは、前記ＷＴＲＵが、前記ＭＴＣグループ中でデータを送信する最後のＷＴＲＵである場合、データ送信を完了すると、前記割り振られたＩＰアドレスの解放を開始するようにさらに構成されることを特徴とする請求項７に記載のＷＴＲＵ。
【請求項１９】
グループベースのマシンツーマシン通信を容易にするように構成されたコアネットワークであって、
ＭＴＣアクセスサーバと、ＭＴＣグループとの間の通信を容易にするために前記ＭＴＣアクセスサーバから指示を受信するように構成された送受信器であり、前記ＭＴＣグループが複数のＭＴＣワイヤレス送受信ユニット（ＷＴＲＵ）を含む、送受信器と、
前記ＭＴＣアクセスサーバから前記指示を受信すると、ＩＰアドレスおよび無線リソースを前記ＭＴＣグループに割り振り、前記ＩＰアドレスおよび無線リソースは、前記ＭＴＣグループ中の前記複数の前記ＭＴＣ  ＷＴＲＵが前記コアネットワークに登録する前に割り振られており、および
前記割り振られたＩＰアドレスおよび無線リソースに関連付けられた情報を、前記ＭＴＣグループ中の前記複数のＭＴＣ  ＷＴＲＵに送信する
ように構成されたプロセッサと
を備えることを特徴とするコアネットワーク。
【発明の詳細な説明】
【技術分野】
【０００１】
本発明は、無線通信に関する。
【背景技術】
【０００２】
関連出願の相互参照
本出願は、２００９年１２月２２日に出願の米国特許仮出願第６１／２８９,２７４号明細書、２００９年１２月３０日に出願の米国特許仮出願第６１／２９１,０１９号明細書の利益を主張するものであり、そのそれぞれを、完全に記載されている場合と同様に参照により本明細書に組み込む。
【０００３】
Ｍ２Ｍ（マシンツーマシン）通信（「マシンタイプ通信」または「ＭＴＣ」とも呼ばれる）は、必ずしも人的対話を必要としないエンティティ間のデータ通信の形態と考えることができる。
【０００４】
Ｍ２Ｍ通信は、様々な分野で使用することができる。セキュリティの分野では、Ｍ２Ｍ通信は、監視システムで、電話の陸上回線のバックアップで、（例えば、建物への）物理的なアクセスの管理で、また車／運転者のセキュリティで使用することができる。トラックおよびトレースの分野では、Ｍ２Ｍ通信は、保有車両（ｆｌｅｅｔ）管理、注文管理、ＰＡＹＤ（Ｐａｙ  Ａｓ  Ｙｏｕ  Ｄｒｉｖｅ：走行距離連動型）用途、資産管理、ナビゲーション、交通情報用途、通行料徴収、交通最適化、および操縦に対して使用することができる。料金支払いシステムの分野では、Ｍ２Ｍ通信は、販売時点情報管理、自動販売機、顧客ロイヤルティ用途、およびゲーム機で使用することができる。健康管理では、Ｍ２Ｍ通信は、ウェブでアクセスする遠隔医療ポイントで、また遠隔診断で、年配者、または障害者をサポートする、生命徴候を遠隔で監視するために使用することができる。遠隔の保守／管理の分野では、Ｍ２Ｍ通信は、ＰＬＣ（プログラマブルロジックコントローラ）、センサ、照明、ポンプ、弁、エレベータ管理、自動販売機管理、および車両診断で使用することができる。計測の分野では、Ｍ２Ｍ通信は、電力、ガス、水、暖房、グリッド管理、および産業用計測に関係する用途で使用することができる。さらに、ＭＴＣ（マシンタイプ通信）技術に基づくＭ２Ｍ通信は、顧客サービスなどの分野で使用することができる。
【０００５】
Ｍ２Ｍ通信は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＬＴＥ（Ｌｏｎｇ  Ｔｅｒｍ  Ｅｖｏｌｕｔｉｏｎ）などの３ＧＰＰ（第３世代移動体通信規格化プロジェクト）技術、ならびに／またはＩＥＥＥ（電気電子技術協会）および３ＧＰＰ２に対する協会により開発されたものなどの他の技術に基づいて展開されたワイヤレスネットワークを利用することができる。Ｍ２Ｍ通信は、費用効果の高い方法でビジネスソリューションを与えるこれらの技術に基づいたネットワークを使用することができる。ワイヤレスネットワークのユビキタス展開を含む状況では、ワイヤレスネットワークの可用性により、ＭＴＣ装置の展開および使用を容易にし、かつ／または促進することができる。さらに、これらの技術に対するさらなる拡張は、Ｍ２Ｍベースの解決策の展開に対するさらなる機会を提供することができる。
【０００６】
現在のＭ２Ｍベースの解決策は、多数のＭＴＣ装置が、同時にネットワーク登録を行うことにより、かつ／またはデータを送信することにより生ずる可能性のあるネットワーク上の潜在的な輻輳に適切に対処していない。したがって、現在の技術におけるこの欠点を克服する新しい技術が求められる。
【発明の概要】
【０００７】
グループベースのマシンツーマシン通信を行うための方法の実施形態、および装置の実施形態が本明細書で開示される。一実施形態では、ＭＴＣ  ＷＴＲＵ（マシンタイプ通信ワイヤレス送受信ユニット）がグループへと編成されうる。同じＭＴＣグループに属しているＭＴＣ  ＷＴＲＵは、グループベースのＩＭＳＩ（国際移動体加入者識別番号）を使用することができる。グループベースのネットワーク登録を行うことができる。１群のＭＴＣ  ＷＴＲＵは、位置をずらした（ｓｔａｇｇｅｒｅｄ）時間ウィンドウに従ってデータを送信することができる。
【０００８】
一実施形態では、ＩＰアドレスおよび無線リソースは、事前にＭＴＣグループに割り振ることができる。例えば、ＣＮ（コアネットワーク）は、ＭＴＣ  ＡＳ（アプリケーションサーバ）からのサービス要求があると、グループの事前登録を行うことができる。サービス要求は、定期的にトリガすることができるが、またはイベントに基づいてトリガすることもできる。例えば、サービス要求を受信すると、ＣＮは、ＩＰアドレスを活動化することができ、ＭＴＣグループに対して無線リソースを割り振ることができる。一実施形態では、ＩＰアドレスおよび無線リソースは、ＭＴＣグループから明示的な要求を受信することなく、ＭＴＣグループに対して事前に割り振ることができる。ＭＴＣ  ＷＴＲＵは、ＭＴＣグループに関連付けられたグループ識別子を用いて、ＭＴＣグループに割り振られたＩＰアドレスおよび無線リソースに関連する情報を含むページまたはブロードキャストを受信することができる。ＭＴＣ  ＷＴＲＵは、ページまたはブロードキャストに基づいて、割り振られたＩＰアドレスおよび無線リソースを取得し、そのＩＰアドレスおよび無線リソースを使用してデータを送信することができる。
【０００９】
ＭＴＣ  ＷＴＲＵは、データを一連の順序で送信することができる。例えば、各ＭＴＣ  ＷＴＲＵは、データを所定の送信ウィンドウで送信することができる。一連の順序は、ＣＮにより制御されうる。ＣＮは、ＭＴＣにおける個々のＭＴＣ  ＷＴＲＵをページングすることができる。ページングされたＭＴＣ  ＷＴＲＵは、ＣＴＣＨ（共通トラフィックチャネル）および／またはＲＡＣＨ（ランダムアクセスチャネル）でデータをアップロードすることができる。
【００１０】
一実施形態では、ＭＴＣグループは、マスタＭＴＣおよび１つまたは複数のスレーブＭＴＣを含むことができる。マスタＭＴＣは、ＭＴＣグループのために、ネットワーク登録／接続プロセスを行うことができる。例えば、マスタＭＴＣは、ＭＴＣグループ中のＭＴＣ  ＷＴＲＵを識別できる情報と共にネットワーク接続要求を送信することができ、したがって、ＣＮは、ＭＴＣグループ中のＭＴＣ  ＷＴＲＵに、接続受入れメッセージを送信することができる。接続要求を受け入れると、ＣＮは、無線リソースおよび／またはＩＰアドレス情報と共にブロードキャスト、またはページングすることができる。一実施形態では、ＭＴＣ  ＷＴＲＵは、専用チャネルを介して、無線リソースおよび／またはＩＰアドレス情報を取得するための指示を受信することができる。
【図面の簡単な説明】
【００１１】
添付の図面と併せて例として与えられた以下の記述から、さらに詳細に理解することができよう。
【００１２】
【図１Ａ】１つまたは複数の開示された実施形態を実施できる例示的な通信システムのシステム図である。
【図１Ｂ】図１Ａで示された通信システム内で使用できる例示的なＷＴＲＵ（ワイヤレス送受信ユニット）のシステム図である。
【図１Ｃ】図１Ａで示された通信システム内で使用できる例示的な無線アクセスネットワーク、および例示的なコアネットワークのシステム図である。
【図１Ｄ】図１Ａで示された通信システム内で使用できる例示的な無線アクセスネットワーク、および例示的なコアネットワークのシステム図である。
【図１Ｅ】図１Ａで示された通信システム内で使用できる例示的な無線アクセスネットワーク、および例示的なコアネットワークのシステム図である。
【図２】ＭＴＣサーバをオペレータドメインの内側に含むＭＴＣ通信に対する例示的なアーキテクチャを示す図である。
【図３】オペレータドメインの外側に位置するＭＴＣサーバを含むＭＴＣ通信に対する例示的なアーキテクチャを示す図である。
【図４】ＭＴＣ  ＷＴＲＵが、中間のＭＴＣサーバを使用せずに直接通信するＭＴＣ  ＷＴＲＵ通信に関する例示的なアーキテクチャを示す図である。
【図５】例示的なＭＴＣグループベースの事前登録を示す図である。
【図６】グループベースのＭ２Ｍ通信に対する例示的なプロセスを示す図である。
【図７】グループベースのＭ２Ｍ通信に対する例示的なプロセスを示す図である。
【図８Ａ】マスタＭＴＣに対してＭ２Ｍ通信を行う流れ図である。
【図８Ｂ】スレーブＭＴＣに対してグループベースのＭ２Ｍ通信のための例示的なプロセスを示す図である。
【図９Ａ】Ｍ２Ｍ通信を行うための方法の流れ図である。
【図９Ｂ】Ｍ２Ｍ通信を行うための方法の流れ図である。
【発明を実施するための形態】
【００１３】
グループベースのマシンツーマシン通信を行うための方法の実施形態、および装置の実施形態が本明細書で開示される。一実施形態では、ＭＴＣ（マシンタイプ通信）ＷＴＲＵ（ワイヤレス送受信ユニット）をグループに編成することができる。同じＭＴＣグループに属するＭＴＣ  ＷＴＲＵは、グループベースのＩＭＳＩ（国際移動体加入者識別番号）を使用することができる。グループベースのネットワーク登録を行うことができる。
【００１４】
図１Ａは、１つまたは複数の開示される実施形態を実施できる例示的な通信システム１００の図である。通信システム１００は、音声、データ、ビデオ、メッセージング、ブロードキャストなどのコンテンツを複数のワイヤレスユーザに提供する複数のアクセスシステムとすることができる。通信システム１００は、複数のワイヤレスユーザに、ワイヤレス帯域幅を含むシステムリソースを共用することにより、このようなコンテンツにアクセスできるようにする。例えば、通信システム１００は、ＣＤＭＡ（符号分割多元接続）、ＴＤＭＡ（時分割多元接続）、ＦＤＭＡ（周波数分割多元接続）、ＯＦＤＭＡ（直交ＦＤＭＡ）、ＳＣ−ＦＤＭＡ（単一キャリアＦＤＭＡ）、および同様のものなど、１つまたは複数のチャネルアクセス法を使用することができる。
【００１５】
図１Ａで示すように、通信システム１００は、ＷＴＲＵ（ワイヤレス送受信ユニット）１０２ａ、１０２ｂ、１０２ｃ、１０２ｄ、ＲＡＮ（無線アクセスネットワーク）１０４、コアネットワーク１０６、ＰＳＴＮ（公衆交換電話網）１０８、インターネット１１０、および他のネットワーク１１２を含むことができるが、開示される諸実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄのそれぞれは、ワイヤレス環境中で動作し、かつ／または通信するように構成された任意のタイプの装置とすることができる。例として、ＷＴＲＵ１０２ａ、１０２ｂ、１０２ｃ、１０２ｄは、ワイヤレス信号を送信し、かつ／または受信するように構成することができ、またＵＥ（ユーザ端末）、移動局、固定または移動加入者ユニット、ページャ、セルラー式電話、ＰＤＡ（携帯情報端末）、スマートフォン、ラップトップ、ネットブック、パーソナルコンピュータ、ワイヤレスセンサ、家庭用電子機器、および同様のものなどを含むことができる。
【００１６】
通信システム１００はまた、基地局１１４ａ、および基地局１１４ｂを含むことができる。基地局１１４ａ、１１４ｂのそれぞれは、コアネットワーク１０６、インターネット１１０、および／またはネットワーク１１２などの１つまたは複数の通信ネットワークへのアクセスを容易にするために、ＷＴＲＵ１０２ａ、１０２ｂ、１０２ｃ、１０２ｄのうちの少なくとも１つと無線でインターフェースをとるように構成された任意のタイプの装置とすることができる。例として、基地局１１４ａ、１１４ｂは、ＢＴＳ（無線基地局装置）、ノードＢ、ｅＮｏｄｅ−Ｂ、ホームノードＢ、ホームｅＮｏｄｅ−Ｂ、サイトコントローラ、ＡＰ（アクセスポイント）、ワイヤレスルータ、および同様のものなどとすることができる。基地局１１４ａ、１１４ｂは、それぞれ、単一の要素として示されているが、基地局１１４ａ、１１４ｂは、任意の数の相互接続された基地局および／またはネットワーク要素を含みうることが理解されよう。
【００１７】
基地局１１４ａはＲＡＮ１０４の一部とすることができ、ＲＡＮ１０４はまた、他の基地局、および／またはＢＳＣ（基地局制御装置）、ＲＮＣ（無線ネットワーク制御装置）、中継ノードなどのネットワーク要素（図示せず）を含むことができる。基地局１１４ａおよび／または基地局１１４ｂは、セル（図示せず）と呼ぶこともできる特定の地理的領域内でワイヤレス信号を送信し、かつ／または受信するように構成することができる。セルはさらに、セルのセクタへと分割することができる。例えば、基地局１１４ａに関連するセルを、３つのセクタに分割することができる。したがって、一実施形態では、基地局１１４ａは、３つの送受信器、すなわち、セルの各セクタに対して１つを含むことができる。別の実施形態では、基地局１１４ａは、ＭＩＭＯ（ｍｕｌｔｉｐｌｅ−ｉｎｐｕｔ  ｍｕｌｔｉｐｌｅ  ｏｕｔｐｕｔ）技術を使用することができ、したがって、セルの各セクタに対して複数の送受信器を使用することができる。
【００１８】
基地局１１４ａ、１１４ｂは、任意の適切なワイヤレス通信リンク（例えば、ＲＦ（無線周波数）、マイクロ波、ＩＲ（赤外線）、ＵＶ（紫外線）、可視光など）とすることのできるエアインターフェース１１６を介して、ＷＴＲＵ１０２ａ、１０２ｂ、１０２ｃ、１０２ｄの１つまたは複数のものと通信することができる。エアインターフェース１１６は、任意の適切なＲＡＴ（無線アクセス技術）を用いて確立することができる。
【００１９】
より具体的には、上記で述べたように、通信システム１００は、複数のアクセスシステムとすることができ、またＣＤＭＡ、ＴＤＭＡ、ＦＤＭＡ、ＯＦＤＭＡ、ＳＣ−ＦＤＭＡ、および同様のものなど、１つまたは複数のチャネルアクセス方式を使用することができる。例えば、ＲＡＮ１０４における基地局１１４ａ、およびＷＴＲＵ１０２ａ、１０２ｂ、１０２ｃは、ＵＴＲＡ（ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）Ｔｅｒｒｅｓｔｒｉａｌ  Ｒａｄｉｏ  Ａｃｃｅｓｓ）などの無線技術を実施することができるが、それは、ＷＣＤＭＡ（広帯域ＣＤＭＡ）を使用してエアインターフェース１１６を確立することができる。ＷＣＤＭＡは、ＨＳＰＡ（Ｈｉｇｈ−Ｓｐｅｅｄ  Ｐａｃｋｅｔ  Ａｃｃｅｓｓ：高速パケットアクセス）、および／またはＨＳＰＡ＋（Ｅｖｏｌｖｅｄ  ＨＳＰＡ）などの通信プロトコルを含むことができる。ＨＳＰＡは、ＨＳＤＰＡ（Ｈｉｇｈ−Ｓｐｅｅｄ  Ｄｏｗｎｌｉｎｋ  Ｐａｃｋｅｔ  Ａｃｃｅｓｓ：高速ダウンリンクパケットアクセス）、および／またはＨＳＵＰＡ（Ｈｉｇｈ−Ｓｐｅｅｄ  Ｕｐｌｉｎｋ  Ｐａｃｋｅｔ  Ａｃｃｅｓｓ：高速アップリンクパケットアクセス）を含むことができる。
【００２０】
他の実施形態では、基地局１１４ａ、およびＷＴＲＵ１０２ａ、１０２ｂ、１０２ｃは、Ｅ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ）などの無線技術を実施することができ、それは、ＬＴＥ（Ｌｏｎｇ  Ｔｅｒｍ  Ｅｖｏｌｕｔｉｏｎ）、および／またはＬＴＥ−Ａ（ＬＴＥ−Ａｄｖａｎｃｅｄ）を用いてエアインターフェース１１６を確立することができる。
【００２１】
他の実施形態では、基地局１１４ａ、およびＷＴＲＵ１０２ａ、１０２ｂ、１０２ｃは、ＩＥＥＥ８０２．１６（すなわち、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２０００  ＥＶ−ＤＯ、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＥＲＡＮ（ＧＳＭ  ＥＤＧＥ）、および同様のものなどの無線技術を実施することができる。
【００２２】
図１Ａの基地局１１４ｂは、例えば、ワイヤレスルータ、ホームノードＢ、ホームｅＮｏｄｅ−Ｂ、またはアクセスポイントとすることができ、また職場、家庭、車両、学内、および同様のものなど、局所化されたエリアでワイヤレス接続を容易にするために任意の適切なＲＡＴを使用することができる。一実施形態では、基地局１１４ｂ、およびＷＴＲＵ１０２ｃ、１０２ｄは、ＷＬＡＮ（ワイヤレスローカルエリアネットワーク）を確立するために、ＩＥＥＥ８０２．１１などの無線技術を実施することができる。別の実施形態では、基地局１１４ｂ、およびＷＴＲＵ１０２ｃ、１０２ｄは、ＷＰＡＮ（ワイヤレスパーソナルエリアネットワーク）を確立するためにＩＥＥＥ８０２．１５などの無線技術を実施することができる。さらに別の実施形態では、基地局１１４ｂ、およびＷＴＲＵ１０２ｃ、１０２ｄは、ピコセルまたはフェムトセルを確立するために、セルラーベースのＲＡＴ（例えば、ＷＣＤＭＡ、ＣＤＭＡ２０００、ＧＳＭ、ＬＴＥ、ＬＴＥ−Ａなど）を使用することができる。図１Ａで示すように、基地局１１４ｂは、インターネット１１０に対する直接接続を有することができる。したがって、基地局１１４ｂは、コアネットワーク１０６を経由してインターネット１１０にアクセスする必要がないはずである。
【００２３】
ＲＡＮ１０４は、コアネットワーク１０６と通信することができ、コアネットワーク１０６は、１つまたは複数のＷＴＲＵ１０２ａ、１０２ｂ、１０２ｃ、１０２ｄに対して、音声、データ、アプリケーション、および／またはＶｏＩＰ（ｖｏｉｃｅ  ｏｖｅｒ  ｉｎｔｅｒｎｅｔ  ｐｒｏｔｏｃｏｌ）サービスを提供するように構成された任意のタイプのネットワークとすることができる。例えば、コアネットワーク１０６は、呼制御、課金サービス、移動体位置ベースサービス、プリペイド電話、インターネット接続、ビデオ配信などを提供し、かつ／またはユーザ認証などの高レベルのセキュリティ機能を行うことができる。図１Ａに示されていないが、ＲＡＮ１０４および／またはコアネットワーク１０６は、ＲＡＮ１０４と同じＲＡＴを使用する、または異なるＲＡＴを使用する他のＲＡＮと直接、または間接的に通信できることが理解されよう。例えば、Ｅ−ＵＴＲＡ無線技術を用いることのできるＲＡＮ１０４に接続されるのに加えて、コアネットワーク１０６はまた、ＧＳＭ無線技術を使用する別のＲＡＮ（図示せず）と通信することもできる。
【００２４】
コアネットワーク１０６はまた、ＷＴＲＵ１０２ａ、１０２ｂ、１０２ｃ、１０２ｄが、ＰＳＴＮ１０８、インターネット１１０、および／または他のネットワーク１１２にアクセスするためのゲートウェイとしても働くことができる。コアネットワーク１０６は、少なくとも１つの送受信器、および少なくとも１つのプロセッサを含むことができる。ＰＳＴＮ１０８は、ＰＯＴＳ（普通の従来の電話サービス）を提供する回線交換電話網を含むことができる。インターネット１１０は、ＴＣＰ／ＩＰインターネットプロトコル群におけるＴＣＰ（伝送制御プロトコル）、ＵＤＰ（ｕｓｅｒ  ｄａｔａｇｒａｍ  ｐｒｏｔｏｃｏｌ）、およびＩＰ（インターネットプロトコル）などの共通の通信プロトコルを使用する相互接続されたコンピュータネットワークおよび装置のグローバルシステムを含むことができる。ネットワーク１１２は、他のサービスプロバイダに所有され、かつ／または運用されるワイヤードまたはワイヤレスの通信ネットワークを含むことができる。例えば、ネットワーク１１２は、ＲＡＮ１０４と同じＲＡＴ、または異なるＲＡＴを使用できる１つまたは複数のＲＡＮに接続された別のコアネットワークを含むことができる。
【００２５】
通信システム１００のＷＴＲＵ１０２ａ、１０２ｂ、１０２ｃ、１０２ｄのいくつか、またはすべては、マルチモード機能を含むことができる、すなわち、ＷＴＲＵ１０２ａ、１０２ｂ、１０２ｃ、１０２ｄは、様々なワイヤレスリンクを介して、様々なワイヤレスネットワークと通信するための複数の送受信器を含むことができる。例えば、図１Ａで示すＷＴＲＵ１０２ｃは、セルラーベースの無線技術を使用できる基地局１１４ａと通信し、またＩＥＥＥ８０２無線技術を使用できる基地局１１４ｂと通信するように構成することができる。
【００２６】
図１Ｂは、例示的なＷＴＲＵ１０２のシステム図である。図１Ｂで示すように、ＷＴＲＵ１０２は、プロセッサ１１８、送受信器１２０、送信／受信要素１２２、スピーカ／マイクロフォン１２４、キーパッド１２６、ディスプレイ／タッチパッド１２８、取外し不能メモリ１０６、取外し可能メモリ１３２、電源１３４、ＧＰＳ（全地球測位システム）チップセット１３６、および他の周辺装置１３８を含むことができる。ＷＴＲＵ１０２は、実施形態との整合性を維持しながら、前述の要素の任意の下位の組合せを含みうることが理解されよう。
【００２７】
プロセッサ１１８は、汎用プロセッサ、専用プロセッサ、従来のプロセッサ、ＤＳＰ（デジタル信号プロセッサ）、複数のマイクロプロセッサ、ＤＳＰコアに関連付けられた１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、任意の他のタイプのＩＣ（集積回路）、状態マシン、および同様のものなどとすることができる。プロセッサ１１８は、信号符号化、データ処理、電力制御、入力／出力処理、および／またはＷＴＲＵ１０２がワイヤレス環境で動作できるようにする任意の他の機能を実施することができる。プロセッサ１１８は、送受信器１２０に結合することができ、送受信器１２０は、送信／受信要素１２２に結合することができる。図１Ｂは、プロセッサ１１８と送受信器１２０を別々の構成要素として示しているが、プロセッサ１１８および送受信器１２０は、電子的なパッケージ、またはチップ内で共に一体化できることが理解されよう。
【００２８】
送信／受信要素１２２は、エアインターフェース１１６を介して、基地局（例えば、基地局１１４ａ）に信号を送信し、またはそこから信号を受信するように構成することができる。例えば、一実施形態では、送信／受信要素１２２は、ＲＦ信号を送信および／または受信するように構成されたアンテナとすることができる。別の実施形態では、送信／受信要素１２２は、例えば、ＩＲ、ＵＶ、または可視光信号を送信および／または受信するように構成された放射器／検出器とすることができる。さらに別の実施形態では、送信／受信要素１２２は、ＲＦ信号と光信号を共に送信および受信するように構成することができる。送信／受信要素１２２は、任意の組合せのワイヤレス信号を送信および／または受信するように構成できることが理解されよう。
【００２９】
さらに、送信／受信要素１２２は、図１Ｂで単一の要素として示されているが、ＷＴＲＵ１０２は、任意の数の送信／受信要素１２２を含むことができる。より具体的には、ＷＴＲＵ１０２は、ＭＩＭＯ技術を使用することができる。したがって、一実施形態では、ＷＴＲＵ１０２は、エアインターフェース１１６を介してワイヤレス信号を送信し受信するために、２つ以上の送信／受信要素１２２（例えば、複数のアンテナ）を含むことができる。
【００３０】
送受信器１２０は、送信／受信要素１２２により送信される信号を変調し、送信／受信要素１２２により受信された信号を復調するように構成することができる。上記で述べたように、ＷＴＲＵ１０２は、マルチモード機能を有することができる。したがって、送受信器１２０は、ＷＴＲＵ１０２が、例えば、ＵＴＲＡ、およびＩＥＥＥ８０２．１１などの複数のＲＡＴにより通信できるようにするために、複数の送受信器を含むことができる。
【００３１】
ＷＴＲＵ１０２のプロセッサ１１８は、スピーカ／マイクロフォン１２４、キーパッド１２６、および／またはディスプレイ／タッチパッド１２８（例えば、ＬＣＤ（液晶画面）表示ユニット、またはＯＬＥＤ（有機発光ダイオード）表示ユニット）に結合し、そこからユーザ入力データを受信することができる。プロセッサ１１８はまた、ユーザデータをスピーカ／マイクロフォン１２４、キーパッド１２６、および／またはディスプレイ／タッチパッド１２８に出力することもできる。さらに、プロセッサ１１８は、取外し不能メモリ１０６、および／または取外し可能メモリ１３２など、任意のタイプの適切なメモリからの情報にアクセスし、データをそれに記憶させることができる。取外し不能メモリ１０６は、ＲＡＭ（ランダムアクセスメモリ）、ＲＯＭ（読出し専用メモリ）、ハードディスク、または任意の他のタイプのメモリ記憶装置を含むことができる。取外し可能メモリ１３２は、ＳＩＭ（加入者識別モジュール）カード、メモリスティック、ＳＤ（ｓｅｃｕｒｅ  ｄｉｇｉｔａｌ）メモリカード、および同様のものを含むことができる。他の実施形態では、プロセッサ１１８は、サーバまたはホームコンピュータ（図示せず）上など、ＷＴＲＵ１０２上に物理的に位置していないメモリからの情報にアクセスし、そこにデータを記憶することができる。
【００３２】
プロセッサ１１８は、電源１３４から電力を受信することができ、またその電力をＷＴＲＵ１０２中の他の構成要素に分配し、かつ／または制御するように構成することができる。電源１３４は、ＷＴＲＵ１０２に電力を供給するための任意の適切な装置とすることができる。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池、および同様のものを含むことができる。
【００３３】
プロセッサ１１８はまた、ＷＴＲＵ１０２の現在位置に関する位置情報（例えば、経度および緯度）を提供するように構成できるＧＰＳチップセット１３６に結合することができる。ＧＰＳチップセット１３６からの情報に加えて、またはそれに代えて、ＷＴＲＵ１０２は、基地局（例えば、基地局１１４ａ、１１４ｂ）からエアインターフェース１１６を介して位置情報を受信し、かつ／または２つ以上の近傍の基地局から受信した信号のタイミングに基づいてその位置を決定することができる。ＷＴＲＵ１０２は、実施形態との整合性を維持しながら、任意の適切な位置決定法により位置情報を取得できることが理解されよう。
【００３４】
プロセッサ１１８は、さらなる特徴、機能、および／またはワイヤードもしくはワイヤレス接続を提供する１つまたは複数のソフトウェア、および／またはハードウェアモジュールを含むことのできる他の周辺装置１３８にさらに結合することができる。例えば、周辺装置１３８は、加速計、電子コンパス（ｅ−ｃｏｍｐａｓｓ）、衛星送受信器、デジタルカメラ（写真またはビデオ用）、ＵＳＢ（ｕｎｉｖｅｒｓａｌ  ｓｅｒｉａｌ  ｂｕｓ）ポート、振動装置、テレビジョン送受信器、手を使用しないヘッドセット、ブルートゥース（登録商標）モジュール、ＦＭ（周波数変調）無線ユニット、デジタル音楽プレーヤ、メディアプレーヤ、ビデオゲームプレーヤモジュール、インターネットブラウザ、および同様のものを含むことができる。
【００３５】
図１Ｃは、実施形態によるＲＡＮ１０４およびコアネットワーク１０６のシステム図である。上記で述べたように、ＲＡＮ１０４は、エアインターフェース１１６を介してＷＴＲＵ１０２ａ、１０２ｂ、および１０２ｃと通信するためにＵＴＲＡ無線技術を使用することができる。ＲＡＮ１０４はまたコアネットワーク１０６と通信することができる。図１Ｃで示すように、ＲＡＮ１０４は、ノードＢ１４０ａ、１４０ｂ、１４０ｃを含むことができ、それらは、それぞれ、エアインターフェース１１６を介してＷＴＲＵ１０２ａ、１０２ｂ、１０２ｃと通信するための１つまたは複数の送受信器を含むことができる。ノードＢ１４０ａ、１４０ｂ、１４０ｃは、それぞれ、ＲＡＮ１０４内の特定のセル（図示せず）に関連付けることができる。ＲＡＮ１０４はまた、ＲＮＣ１４２ａ、１４２ｂを含むことができる。ＲＡＮ１０４は、実施形態との整合性を維持しながら任意の数のノードＢおよびＲＮＣを含みうることが理解されよう。
【００３６】
図１Ｃで示すように、ノードＢ１４０ａ、１４０ｂは、ＲＮＣ１４２ａと通信することができる。さらに、ノードＢ１４０ｃは、ＲＮＣ１４２ｂと通信することができる。ノードＢ１４０ａ、１４０ｂ、１４０ｃは、Ｉｕｂインターフェースを介して各ＲＮＣ１４２ａ、１４２ｂと通信することができる。ＲＮＣ１４２ａ、１４２ｂは、Ｉｕｒインターフェースを介して互いに通信することができる。ＲＮＣ１４２ａ、１４２ｂのそれぞれは、接続される各ノードＢ１４０ａ、１４０ｂ、１４０ｃを制御するように構成されうる。さらに、ＲＮＣ１４２ａ、１４２ｂのそれぞれは、アウターループ電力制御、負荷制御、受付制御、パケットスケジューリング、ハンドオーバ制御、マクロダイバーシティ（ｍａｃｒｏｄｉｖｅｒｓｉｔｙ）、セキュリティ機能、データ暗号化、および同様のものなど、他の機能を実行する、またはサポートするように構成することができる。
【００３７】
図１Ｃで示すコアネットワーク１０６は、ＭＧＷ（メディアゲートウェイ）１４４、ＭＳＣ（移動交換センタ）１４６、ＳＧＳＮ（サービングＧＰＲＳサポートノード）１４８、および／またはＧＧＳＮ（ゲートウェイＧＰＲＳサポートノード）１５０を含むことができる。前述の各要素は、コアネットワーク１０６の一部として示されているが、これらの要素の任意の１つは、コアネットワークオペレータ以外のエンティティにより所有され、かつ／または運用されうることが理解されよう。
【００３８】
ＲＡＮ１０４におけるＲＮＣ１４２ａは、ＩｕＣＳインターフェースを介してコアネットワーク１０６におけるＭＳＣ１４６に接続することができる。ＭＳＣ１４６はＭＧＷ１４４に接続されうる。ＭＳＣ１４６およびＭＧＷ１４４は、ＷＴＲＵ１０２ａ、１０２ｂ、１０２ｃと従来の陸上回線通信装置との間の通信を容易にするために、ＰＳＴＮ１０８などの回線交換網へのアクセスをＷＴＲＵ１０２ａ、１０２ｂ、１０２ｃに提供することができる。
【００３９】
ＲＡＮ１０４におけるＲＮＣ１４２ａはまた、ＩｕＰＳインターフェースを介して、コアネットワーク１０６におけるＳＧＳＮ１４８に接続することもできる。ＳＧＳＮ１４８は、ＧＧＳＮ１５０に接続することができる。ＳＧＳＮ１４８およびＧＧＳＮ１５０は、ＷＴＲＵ１０２ａ、１０２ｂ、１０２ｃとＩＰが使用可能な装置との間の通信を容易にするために、インターネット１１０などのパケット交換網へのアクセスをＷＴＲＵ１０２ａ、１０２ｂ、１０２ｃに提供することができる。
【００４０】
上記で述べたように、コアネットワーク１０６はまた、ネットワーク１１２に接続することもでき、ネットワーク１１２は、他のサービスプロバイダにより所有され、かつ／または運用される他のワイヤードまたはワイヤレスネットワークを含むことができる。
【００４１】
図１Ｄは、実施形態によるＲＡＮ１０４、およびコアネットワーク１０６のシステム図である。上記で述べたように、ＲＡＮ１０４は、エアインターフェース１１６を介してＷＴＲＵ１０２ａ、１０２ｂ、１０２ｃと通信するために、Ｅ−ＵＴＲＡ無線技術を使用することができる。ＲＡＮ１０４はまた、コアネットワーク１０６と通信することができる。
【００４２】
ＲＡＮ１０４は、ｅＮｏｄｅ−Ｂ１７０ａ、１７０ｂ、１７０ｃを含むことができるが、ＲＡＮ１０４は、実施形態との整合性を維持しながら、任意の数のｅＮｏｄｅ−Ｂを含みうることが理解されよう。ｅＮｏｄｅ−Ｂ１７０ａ、１７０ｂ、１７０ｃは、それぞれ、エアインターフェース１１６を介してＷＴＲＵ１０２ａ、１０２ｂ、１０２ｃと通信するための１つまたは複数の送受信器を含むことができる。一実施形態では、ｅＮｏｄｅ−Ｂ１７０ａ、１７０ｂ、１７０ｃは、ＭＩＭＯ技術を実施することができる。したがって、ｅＮｏｄｅ−Ｂ１４０ａは、例えば、ＷＴＲＵ１０２ａにワイヤレス信号を送信し、そこからワイヤレス信号を受信するために、複数のアンテナを使用することができる。
【００４３】
ｅＮｏｄｅ−Ｂ１７０ａ、１７０ｂ、１７０ｃのそれぞれは、特定のセル（図示せず）に関連付けることができ、また無線リソース管理判断、ハンドオーバ判断、アップリンクおよび／またはダウンリンクにおけるユーザのスケジューリングなどを処理するように構成することができる。図１Ｄで示すように、ｅＮｏｄｅ−Ｂ１７０ａ、１７０ｂ、１７０ｃは、Ｘ２インターフェースを介して互いに通信することができる。
【００４４】
図１Ｄで示すＣＮ（コアネットワーク）１０６は、ＭＭＥ（ｍｏｂｉｌｉｔｙ  ｍａｎａｇｅｍｅｎｔ  ｇａｔｅｗａｙ）１６２、サービングゲートウェイ１６４、およびＰＤＮ（パケットデータネットワーク）ゲートウェイ１６６を含むことができる。前述の要素のそれぞれは、コアネットワーク１０６の一部として示されているが、これらの要素の任意の１つは、コアネットワークのオペレータ以外のエンティティにより所有され、かつ／または運用されうることが理解されよう。
【００４５】
ＭＭＥ１６２は、Ｓ１インターフェースを介してＲＡＮ１０４におけるｅＮｏｄｅ−Ｂ１７０ａ、１７０ｂ、１７０ｃのそれぞれに接続することができ、また制御ノードとして働くことができる。例えば、ＭＭＥ１６２は、ＷＴＲＵ１０２ａ、１０２ｂ、１０２ｃのユーザ認証、ベアラの活動化／非活動化、ＷＴＲＵ１０２ａ、１０２ｂ、１０２ｃの初期接続中に特定のサービングゲートウェイを選択すること、および同様のものを扱うことができる。ＭＭＥ１６２はまた、ＲＡＮ１０４と、ＧＳＭまたはＷＣＤＭＡなどの他の無線技術を使用する他のＲＡＮ（図示せず）との間を切り換えるための制御プレーン機能を提供することもできる。
【００４６】
サービングゲートウェイ１６４は、Ｓ１インターフェースを介して、ＲＡＮ１０４におけるｅＮｏｄｅ−Ｂ１７０ａ、１７０ｂ、１７０ｃのそれぞれに接続することができる。サービングゲートウェイ１６４は、ＷＴＲＵ１０２ａ、１０２ｂ、１０２ｃとの間で、概して、ユーザデータパケットを経路指定し転送することができる。サービングゲートウェイ１６４はまた、ｅＮｏｄｅ−Ｂ間のハンドオーバ中にユーザプレーンを固定すること、ダウンリンクデータがＷＴＲＵ１０２ａ、１０２ｂ、１０２ｃに利用可能であるときページングをトリガすること、ＷＴＲＵ１０２ａ、１０２ｂ、１０２ｃのコンテキストを管理し記憶すること、および同様のものなど、他の機能を実施することができる。
【００４７】
サービングゲートウェイ１６４はまた、ＰＤＮゲートウェイ１６６に接続することができ、ＰＤＮゲートウェイ１６６は、ＷＴＲＵ１０２ａ、１０２ｂ、１０２ｃと、ＩＰが使用可能な装置との間の通信を容易にするために、インターネット１１０などのパケット交換網へのアクセスをＷＴＲＵ１０２ａ、１０２ｂ、１０２ｃに提供することができる。
【００４８】
コアネットワーク１０６は、他のネットワークとの通信を容易にすることができる。例えば、コアネットワーク１０６は、ＷＴＲＵ１０２ａ、１０２ｂ、１０２ｃと、従来の陸上回線通信装置との間の通信を容易にするために、ＰＳＴＮ１０８などの回線交換網へのアクセスをＷＴＲＵ１０２ａ、１０２ｂ、１０２ｃに提供することができる。例えば、コアネットワーク１０６は、コアネットワーク１０６とＰＳＴＮ１０８との間のインターフェースとして働くＩＰゲートウェイ（例えば、ＩＭＳ（ＩＰマルチメディアサブシステム）サーバ）を含むことができる、またはそれと通信することができる。さらに、コアネットワーク１０６は、他のサービスプロバイダにより所有され、かつ／または運用される他のワイヤードまたはワイヤレスネットワークを含むことのできるネットワーク１１２へのアクセスを、ＷＴＲＵ１０２ａ、１０２ｂ、１０２ｃに提供することができる。
【００４９】
図１Ｅは、実施形態によるＲＡＮ１０４およびコアネットワーク１０６のシステム図である。ＲＡＮ１０４は、エアインターフェース１１６を介してＷＴＲＵ１０２ａ、１０２ｂ、１０２ｃと通信するためにＩＥＥＥ８０２．１６無線技術を使用するＡＳＮ（アクセスサービスネットワーク）とすることができる。以下でさらに論ずるように、ＷＴＲＵ１０２ａ、１０２ｂ、１０２ｃ、ＲＡＮ１０４、およびコアネットワーク１０６の様々な機能エンティティ間の通信リンクは、基準点（ｒｅｆｅｒｅｎｃｅ  ｐｏｉｎｔ）として規定することができる。
【００５０】
図１Ｅで示すように、ＲＡＮ１０４は、基地局１８０ａ、１８０ｂ、１８０ｃ、およびＡＳＮゲートウェイ１４２を含むことができるが、ＲＡＮ１０４は、実施形態との整合性を維持しながら、任意の数の基地局およびＡＳＮゲートウェイを含みうることが理解されよう。基地局１８０ａ、１８０ｂ、１８０ｃはそれぞれ、ＲＡＮ１０４における特定のセル（図示せず）に関連付けることができ、またそれぞれがエアインターフェース１１６を介してＷＴＲＵ１０２ａ、１０２ｂ、１０２ｃと通信するために１つまたは複数の送受信器を含むことができる。一実施形態では、基地局１８０ａ、１８０ｂ、１８０ｃは、ＭＩＭＯ技術を実施することができる。したがって、例えば、基地局１４０ａは、ＷＴＲＵ１０２ａにワイヤレス信号を送信し、そこからワイヤレス信号を受信するために複数のアンテナを使用することができる。基地局１８０ａ、１８０ｂ、１８０ｃはまた、ハンドオフのトリガ、トンネル確立、無線リソース管理、トラフィックの分類、ＱｏＳ（品質サービス）ポリシの実施、および同様のものなど、移動体管理機能を提供することができる。ＡＳＮゲートウェイ１８２は、トラフィックの集約点として働くことができ、ページング、加入者プロファイルのキャッシング、コアネットワーク１０６への経路指定、および同様のものを扱うことができる。
【００５１】
ＷＴＲＵ１０２ａ、１０２ｂ、１０２ｃとＲＡＮ１０４との間のエアインターフェース１１６は、ＩＥＥＥ８０２．１６仕様を実施するＲ１基準点として規定することができる。さらに、ＷＴＲＵ１０２ａ、１０２ｂ、１０２ｃのそれぞれは、コアネットワーク１０６と論理インターフェース（図示せず）を確立することができる。ＷＴＲＵ１０２ａ、１０２ｂ、１０２ｃと、コアネットワーク１０６との間の論理インターフェースは、Ｒ２基準点として規定することができ、それは、認証、認可、ＩＰホストの構成管理、および／または移動体管理に使用することができる。各基地局１８０ａ、１８０ｂ、１８０ｃの間の通信リンクは、基地局間におけるＷＴＲＵハンドオーバおよびデータ伝送を容易にするためのプロトコルを含むＲ８基準点として規定することができる。基地局１８０ａ、１８０ｂ、１８０ｃとＡＳＮゲートウェイ２１５との間の通信リンクは、Ｒ６基準点として規定することができる。Ｒ６基準点は、ＷＴＲＵ１０２ａ、１０２ｂ、１０２ｃのそれぞれに関連する移動体イベントに基づいて移動体管理を容易にするためのプロトコルを含むことができる。
【００５２】
図１Ｅで示すように、ＲＡＮ１０４は、コアネットワーク１０６に接続することができる。ＲＡＮ１０４とコアネットワーク１０６との間の通信リンクは、例えば、データ伝送および移動体管理機能を容易にするためのプロトコルを含むＲ３基準点として規定することができる。コアネットワーク１０６は、ＭＩＰ−ＨＡ（ｍｏｂｉｌｅ  ＩＰ  ｈｏｍｅ  ａｇｅｎｔ：モバイルＩＰホームエージェント）１８４、ＡＡＡ（認証、認可、アカウンティング）サーバ１８６、ゲートウェイ１８８を含むことができる。前述の各要素は、コアネットワーク１０６の一部として示されているが、これらの要素の任意の１つが、コアネットワークのオペレータ以外のエンティティにより所有され、かつ／または運用されうることが理解されよう。
【００５３】
ＭＩＰ−ＨＡは、ＩＰアドレス管理を扱うことができ、またＷＴＲＵ１０２ａ、１０２ｂ、１０２ｃが異なるＡＳＮおよび／または異なるコアネットワーク間でローミングできるようにする。ＭＩＰ−ＨＡ１８４は、ＷＴＲＵ１０２ａ、１０２ｂ、１０２ｃと、ＩＰが使用可能な装置との間の通信を容易にするために、インターネット１１０などのパケット交換網へのアクセスをＷＴＲＵ１０２ａ、１０２ｂ、１０２ｃに提供することができる。ＡＡＡサーバ１８６は、ユーザ認証、およびユーザサービスのサポートを扱うことができる。ゲートウェイ１８８は、他のネットワークとの相互接続を容易にすることができる。例えば、ゲートウェイ１８８は、ＷＴＲＵ１０２ａ、１０２ｂ、１０２ｃと、従来の陸上回線通信装置との間の通信を容易にするために、ＰＳＴＮ１０８などの回線交換網へのアクセスをＷＴＲＵ１０２ａ、１０２ｂ、１０２ｃに提供することができる。さらに、ゲートウェイ１８８は、他のサービスプロバイダにより所有され、かつ／または運用される他のワイヤードまたはワイヤレスネットワークを含むことのできるネットワーク１１２へのアクセスをＷＴＲＵ１０２ａ、１０２ｂ、１０２ｃに提供することができる。
【００５４】
図１Ｅで示されていないが、ＲＡＮ１０４を他のＡＳＮに接続することができ、またコアネットワーク１０６を、他のコアネットワークに接続しうることが理解されよう。ＲＡＮ１０４と他のＡＳＮとの間の通信リンクは、Ｒ４基準点として規定することができ、それは、ＲＡＮ１０４と他のＡＳＮとの間でＷＴＲＵ１０２ａ、１０２ｂ、１０２ｃの移動性を調整するためのプロトコルを含むことができる。コアネットワーク１０６と他のコアネットワークとの間の通信リンクは、Ｒ５基準として規定することができ、それは、ホームコアネットワークと、在圏（ｖｉｓｉｔｅｄ）コアネットワークとの間の相互接続を容易にするためのプロトコルを含むことができる。
【００５５】
「ＭＴＣ  ＷＴＲＵ」、または「Ｍ２Ｍ  ＷＴＲＵ」は、ＭＴＣ／Ｍ２Ｍ技術を使用して通信できるＷＴＲＵを含むことができる。例えば、ＭＴＣ  ＷＴＲＵおよび／またはＭ２Ｍ  ＷＴＲＵは、ＭＴＣ／Ｍ２Ｍ技術を用いて通信できる図１Ａ〜Ｅに関して述べたものなどのＷＴＲＵを含むことができる。例えば、ＭＴＣ  ＷＴＲＵは、ＭＴＣ装置を含むことができる。
【００５６】
図２は、ＭＴＣ通信で使用するための例示的なアーキテクチャを示している。図示のように、ＭＴＣ装置２０２ａ、２０２ｂ、２０２ｃ、および２０２ｄなどの１つまたは複数のＭＴＣ装置は、オペレータドメイン２０８など、オペレータドメインを介してＭＴＣサーバ２０４などの１つまたは複数のＭＴＣサーバと通信することができる。図２で示すように、ＭＴＣサーバ２０４は、例えば、オペレータドメイン２０８に位置することができる。ＭＴＣユーザ２０６などのＭＴＣユーザは、例えば、ＡＰＩ（アプリケーションプロトコルインターフェース）を介してＭＴＣサーバ２０４にアクセスすることができ、したがって、ＭＴＣユーザは、ＭＴＣ装置２０２ａ、２０２ｂ、２０２ｃと通信することができる。
【００５７】
図３は、ＭＴＣ通信で使用するための例示的なアーキテクチャを示す。図示のように、ＭＴＣ装置２０２ａ、２０２ｂ、２０２ｃ、および２０２ｄなどの１つまたは複数のＭＴＣ装置は、オペレータドメイン２０８などのオペレータドメインを介して、ＭＴＣサーバ２０４などの１つまたは複数のＭＴＣサーバ、および／またはＭＴＣユーザ２０６などの１つまたは複数のＭＴＣユーザに通信することができる。ＭＴＣサーバ２０４は、例えば、オペレータドメイン２０８内に位置することができる。ＭＴＣユーザ２０６などのＭＴＣユーザは、例えば、ＡＰＩ（アプリケーションプロトコルインターフェース）を介してＭＴＣサーバ２０４にアクセスすることができ、したがって、ＭＴＣユーザは、ＭＴＣ装置２０２ａ、２０２ｂ、２０２ｃと通信することができる。図３で示すように、ＭＴＣサーバ２０４は、オペレータドメイン２０８の外側に位置することもできる。
【００５８】
図４は、ＭＴＣ通信で使用するための例示的なアーキテクチャを示す。図示のように、ＭＴＣ装置は、中間的なＭＴＣサーバを使用せずに、互いに（ＭＴＣ−ＭＴＣ通信）通信する。例えば、図４で示すように、ＭＴＣ装置２０２ａ、２０２ｂ、２０２ｃ、および２０２ｄなどの１つまたは複数のＭＴＣ装置は、オペレータドメイン２０８ａおよび２０８ｂなどの複数のオペレータドメインを介して、１つまたは複数のＭＴＣ装置２０２ｄ、２０２ｅ、２０２ｆ、および２０２ｇに通信することができる。図４で示すように、オペレータドメイン２０８ａおよび２０８ｂは、互いに動作可能に接続することができ、したがって、オペレータドメイン２０８ａに接続されたＭＴＣ装置は、オペレータドメイン２０８ｂに接続されたＭＴＣ装置に通信することができ、その逆も同様である。
【００５９】
ＭＴＣ  ＷＴＲＵは、グループで動作することができる。一実施形態では、同じセルに属しているＭＴＣ  ＷＴＲＵは、ＭＴＣグループへとグループ化することができる。一実施形態では、同じエリアに位置するＭＴＣ  ＷＴＲＵは、ＭＴＣグループへとグループ化されうる。例えば、近隣にある公共サービスメータは、ＭＴＣグループにグループ化することができる。一実施形態では、ＭＴＣグループは、ＭＴＣ  ＷＴＲＵの中で１つまたは複数の共用される特徴に基づいて定義することができる。例えば、共通のアプリケーションを使用するＭＴＣ  ＷＴＲＵを１つのグループとして分類することができる。
【００６０】
ＭＴＣ  ＷＴＲＵは、ネットワーク認可および／または認証のために、ＩＭＳＩ（国際移動体加入者識別番号）を使用することができる。例えば、ＭＴＣ  ＷＴＲＵが、３ＧＰＰ技術に基づいてネットワークに認証される場合、ＩＭＳＩ（国際移動体加入者識別番号）を、３ＧＰＰ規格に従ってＡＡＡ（アクセス、認可、および認証）サーバに登録するために使用することができる。
【００６１】
一実施形態では、同じＭＴＣグループに属するＭＴＣ  ＷＴＲＵは、同じＩＭＳＩ、またはグループベースのＩＭＳＩ／グループＩＭＳＩを共用することができる。例えば、グループＩＭＳＩは、特定のセル／エリアに関連させることができ、他のセル／エリアからの登録手続きである場合、その登録手続きは拒否されうる。個々のＭＴＣ  ＷＴＲＵは、それ自体で、または対応するグループＩＭＳＩと共にＭＴＣ  ＷＴＲＵを一意に識別できるＷＴＲＵ識別子に関連付けることができる。例えば、ＷＴＲＵ識別子は、公共サービスメータに関連付けられたアカウント番号とすることができる。
【００６２】
一実施形態では、ＷＴＲＵ識別子は、対応するグループＩＭＳＩと、ＭＴＣ  ＷＴＲＵのインデックスまたは通し番号の組合せに基づくことができる。例えば、ネットワークは、個々のＭＴＣ  ＷＴＲＵを、ＩＭＳＩ１−１、ＩＭＳＩ１−２、ＩＭＳＩ１−３、．．．ＩＭＳＩ１−Ｎとして識別することができる。一実施形態では、個々のＭＴＣ  ＷＴＲＵは、グループベースのＩＭＳＩと、その個々のＵＲＩ（Ｕｎｉｆｏｒｍ  Ｒｅｓｏｕｒｃｅ  Ｉｄｅｎｔｉｆｉｅｒｓ）との組合せを用いて識別することができる。一実施形態では、個々のＭＴＣ  ＷＴＲＵは、グループベースのＰ−ＴＭＳＩ（Ｐａｃｋｅｔ−Ｔｅｍｐｏｒａｒｙ  Ｍｏｂｉｌｅ  Ｓｕｂｓｃｒｉｂｅｒ  Ｉｄｅｎｔｉｔｙ）と、その個々のＵＲＩ（Ｕｎｉｆｏｒｍ  Ｒｅｓｏｕｒｃｅ  Ｉｄｅｎｔｉｆｉｅｒｓ）との組合せを用いて識別することができる。ＵＲＩ／ＵＲＬは、例えば、ＭＴＣ公共サービスメータに対応できるアカウント番号など、ＭＴＣ  ＷＴＲＵのＷＴＲＵ識別子に基づくことができる。
【００６３】
一実施形態では、ＭＴＣグループは、ＭＴＣグループを一意に識別できるグループＩＤ、グループＩＭＳＩ、または「ｇｒｏｕｐＩＭＳＩ」、または同様のものなどのグループ識別子を用いて識別することができる。例えば、ネットワークは、ＭＴＣグループに関連付けられたグループ識別子によりＭＴＣグループと交信することができる。ＭＴＣ  ＷＴＲＵは、特有のグループＩＤを備えることができる。グループＩＤは、ＭＴＣ  ＷＴＲＵのグループを一意に識別できる数とすることができる。各グループＩＤの下で、各グループに対する特有の情報が記憶されうる。グループＩＤは、ＳＩＢ（信号情報ブロック）でブロードキャストすることができる。
【００６４】
個々のＭＴＣ  ＷＴＲＵは、ページングを用いて更新することができる。ＭＴＣ  ＷＴＲＵは、その各アカウント番号と組み合わせたＩＭＳＩおよび／またはＰ−ＴＭＳＩなどのＷＴＲＵ識別子を用いたブロードキャストメッセージを介して更新することができる。ネットワークによるポーリングを、制御チャネルシグナリングを用いて、かつ／またはトラフィックチャネル帯域内シグナリングを用いることにより行うことができる。
【００６５】
ＭＴＣ  ＷＴＲＵがページングされ、ネットワークに接続するように命令された場合、ＭＴＣ  ＷＴＲＵは、システムアクセスプロセスを行うことができる。システムアクセスは、ＲＲＣ（無線リソース制御）接続を要求することを含むことができる。システムアクセスは、ＩＰアドレスの割振りを含むことができる。ＭＴＣ  ＷＴＲＵは、割り振られたＩＰアドレスを使用して、Ｍ２Ｍ  ＡＳ（アクセスサーバ）に接続することができる。Ｍ２Ｍ  ＡＳは、Ｍ２ＭユーザがＣＮにアクセスするためのゲートウェイとして働くことのできるアプリケーションサーバを含むことができる。
【００６６】
ＭＴＣ  ＷＴＲＵの登録は、定期的に、またはシステムに電源が投入されると１回行うことができる。ネットワークは、１つまたは複数の特定のＭＴＣ  ＷＴＲＵをトリガして、ＭＴＣ  ＷＴＲＵのグループの登録およびＩＰ構成を行うことができる。ネットワークは、このような登録を定期的にトリガすることができる。
【００６７】
ＭＴＣ  ＷＴＲＵは、スリープサイクル中、またはウェイクアップサイクル中にありうる。ウェイクアップサイクルは、制御サイクルと報告サイクルに分割することができる。
【００６８】
制御サイクル、または他のサイクルでは、１群のＭＴＣ  ＷＴＲＵがウェイクアップしているときには、ＭＴＣ  ＷＴＲＵが、各制御チャネル（複数可）でそのシステムに再度登録しなくてもよい。ＭＴＣ  ＷＴＲＵは、制御チャネルで１つまたは複数の更新を待つことができる。そのサイクル中、ＭＴＣ  ＷＴＲＵに対するＩＰアドレスは、割り振ることも、割り振らないこともできる。
【００６９】
制御期間中、ＣＮは、どのように動作すべきかを構成するために、ＭＴＣ  ＷＴＲＵに制御データを送信することができる。ＣＮは、開始するとグループの事前登録を行うことができ、またグループごとにＩＰアドレスを活動化することができる。ＣＮは、システムページを用いて個々のセルのページングを行うことができる。システムページは、情報を含むことができ、かつ／またはグループ識別子などの情報に関係することができ、１つのＭＴＣを、アクセスを行うマスタとして選択することができる。Ｍ２Ｍアプリケーションサーバは、ＣＮおよび／またはＭ２Ｍユーザと情報を交換することができる。交換される情報は、例えば、時間ベースのイベント、事前登録要求、セルのリスト、対応するＩＭＳＩのリスト、および／または時間ウィンドウに関係することができる。
【００７０】
報告期間中、制御データは、トラフィックチャネルシグナリングを用いて送信することができる。制御データは、ＩＰ層で、またはその上位で、または他の層で送信することができる。グループＩＭＳＩは、特定のセルおよび／またはエリアに関連付けることができる。異なるセル、または地理的エリアから到来した同じＩＭＳＩを用いて登録手続きが行われる場合、登録は、ネットワークにより拒否されうる。個々のＭＴＣには、報告期間中、そのネットワーク内の異なるローカルなＩＰアドレスで割り振ることができる。ＭＴＣグループに属するＭＴＣ  ＷＴＲＵは、そのデータを送信するために、同じ無線リソース、および同じＩＰアドレスを使用することができる。
【００７１】
報告サイクルでは、ＭＴＣ  ＷＴＲＵは、データをネットワークに送信することができる。ＭＴＣ  ＷＴＲＵは、ネットワークにより指定された一連の順序でデータを送信することができる、または複数のＷＴＲＵが、そのデータを同時に報告することができる。ＩＰアクセスを含むことのできる報告活動は、ネットワークによりスケジュールされうる、ＭＴＣ  ＷＴＲＵによりランダムにスケジュールされうる、事前に構成された設定に従って設定されうる、またはそれらの任意の組合せによることができる。報告サイクルは、Ｍ２Ｍ  ＡＳ（Ｍ２Ｍアプリケーションサーバ）がＣＮおよび／またはＭ２Ｍユーザと情報を交換することを含むことができる。交換される情報は、例えば、時間ベースのイベント、定刻の事前登録要求、セルのリスト、対応するＩＭＳＩのリスト、および時間ウィンドウに関係することができる。
【００７２】
図５は、１群のＭＴＣ  ＷＴＲＵに対する例示的な事前登録を示す。図示のように、Ｍ２Ｍユーザ５０２など、Ｍ２Ｍユーザは、Ｍ２Ｍ  ＡＳ５０４などの１つまたは複数のＭ２Ｍ  ＡＳ、およびＣＮ５０６などのＣＮを介して、ＭＴＣグループ５０８ａ〜５０８ｄと通信セッションを開始することができる。例えば、ＣＮ５０６は、ＭＴＣ／Ｍ２Ｍ技術を容易にすることのできる図１Ｃ〜Ｅに関して述べたものなど、ＣＮを含むことができる。ＣＮは、図１Ｂに関して述べた送受信器などの送受信器と、図１Ｂに関して述べたものなどのプロセッサとを含む。送受信器は、ＭＴＣアクセスサーバとＭＴＣグループとの間の通信を容易にするためにＭＴＣアクセスサーバから指示を受信するように構成することができる。プロセッサは、ＭＴＣアクセスサーバからの指示を受信すると、ＭＴＣグループに対してＩＰアドレスおよび無線リソースを割り振り、割り振られたＩＰアドレスおよび無線リソースに関連する情報を、ＭＴＣグループ中のＭＴＣ  ＷＴＲＵに送信するように構成することができる。例えば、ＣＮ５０６は、ネットワーク登録を求める要求があると、ＭＴＣグループ５０８ａ〜５０８ｄに対するグループの事前登録を行うことができる。事前登録要求は、定期的にトリガされる、またはイベントに基づいてトリガされうる。
【００７３】
Ｍ２Ｍユーザ５０２は、ＭＴＣ  ＷＴＲＵと対話できるシステムを含むことができる。例えば、Ｍ２Ｍユーザ５０２は、１つまたは複数のＭＴＣ  ＷＴＲＵからデータを取り出すことのできる複数のコンピューティング装置を含むことができる。一実施形態では、Ｍ２Ｍ  ＡＳ５０４は、Ｍ２Ｍユーザ５０２とＣＮ５０６との間のゲートウェイとして動作することができる。図示のように、ＭＴＣグループ５０８ａ〜５０８ｄのそれぞれは、１つまたは複数のＭＴＣ  ＷＴＲＵを含むことができる。一実施形態では、ＭＴＣグループに属するＭＴＣ  ＷＴＲＵは、同じＩＭＳＩを使用することができ、またデータ送信のために同じＩＰアドレスを使用することができる。例えば、図示のように、ＭＴＣグループ５０８（ａ）のＭＴＣ  ＷＴＲＵのＭＴＣ１、．．．ＭＴＣＮは、ＩＭＳＩ＃ｘを共用することができる。
【００７４】
図６は、例示的な事前登録プロセスを示す。ステップ６２０で、ＭＴＣ  ＷＴＲＵはネットワークページまたはブロードキャストを受信することができる。例えば、ＭＴＣ  ＷＴＲＵは、ＭＴＣ／Ｍ２Ｍ技術を用いてデータ／信号を受信／送信できる図１Ｂに関して述べた送受信器１２０など、送受信器を含むことができる。送受信器は、ネットワークページまたはブロードキャストを受信するように構成することができる。ＭＴＣ  ＷＴＲＵは、スリープサイクルからウェイクアップすると、ネットワークページング、またはブロードキャストを待ち受けることができる。
【００７５】
例えば、例示的な事前登録プロセスを示す図７を参照すると、ステップ７０２で、ＭＴＣ  ＷＴＲＵは、スリープサイクルからウェイクアップすることができる。ステップ７０４で、図５で示すＭ２Ｍユーザ５０２などのＭ２Ｍユーザは、Ｍ２Ｍ  ＡＳに対して報告イベントをトリガすることができる。例えば、Ｍ２Ｍユーザ５０２は、トリガをＭ２Ｍ  ＡＳ５０４に送信することができる。例えば、Ｍ２Ｍユーザ５０２は、登録プロセスのためのトリガとして、Ｍ２Ｍ  ＡＳ５０４に報告イベントを開始することができる。トリガは、Ｍ２Ｍユーザ５０２とＭ２Ｍ  ＡＳ５０４との間のＴＣＰ／ＩＰ接続により送信することができる。
【００７６】
ステップ７０６で、Ｍ２Ｍ  ＡＳは、１つまたは複数のＭＴＣ  ＷＴＲＵグループのために事前登録プロセスを開始することができる。例えば、Ｍ２Ｍユーザ５０２からのトリガを受信すると、Ｍ２Ｍ  ＡＳ５０４は、１つまたは複数のＭＴＣ  ＷＴＲＵグループに対する事前登録を開始することができる。Ｍ２Ｍ  ＡＳ５０４は、サービス要求をＣＮ５０６に送信することができる。サービス要求は、Ｍ２Ｍユーザが通信することを望む１つまたは複数のＭＴＣグループを示すことができる。例えば、サービス要求は、１つまたは複数のグループ識別子、セル識別子、エリア識別子、ＩＭＳＩなどの指示を含むことができ、したがって、要求は、アドレス指定される必要のあるＭＴＣグループ（複数可）を識別することができる。一実施形態では、サービス要求は、Ｍ２Ｍユーザ５０２と、ＭＴＣグループ（複数可）５０８ａ〜５０８ｄとの間のデータ通信のための時間ウィンドウを含むことができる。
【００７７】
ステップ７０８で、ＣＮは、各ＭＴＣグループに対する事前登録プロセスをそのそれぞれのグループ識別を用いて行うことができる。例えば、Ｍ２Ｍ  ＡＳ５０４からサービス要求を受信すると、ＣＮ５０６は、そのそれぞれのグループＩＤを用いてネットワーク登録を行うために、ターゲットＭＴＣグループにおけるＭＴＣ  ＷＴＲＵを準備することができる。ＭＭ（Ｍｏｂｉｌｉｔｙ  Ｍａｎａｇｅｍｅｎｔ：移動管理）状態を開始することができる。ＣＮ５０６は、個々のＭＴＣグループに対してＩＰアドレスを割り振り、かつ／または構成することができる。例えば、ＩＰアドレスは、Ｍ２Ｍ  ＡＳからのサービス要求に示された各ＭＴＣグループに対して活動化することができる。例えば、ＣＮ５０６は、各ＭＴＣグループに、グループベースのＰ−ＴＭＳＩおよび／または無線ベアラを割り当てることができる。
【００７８】
上記で述べたように、ＣＮは、Ｍ２Ｍ  ＡＳからのサービス要求があると、ＭＴＣグループに対してＩＰアドレスを割り振ることができる。したがって、ＣＮは、ＭＴＣグループ、またはＭＴＣグループ内のＭＴＣ  ＷＴＲＵから登録要求を最初に受信することなく、ＩＰアドレス割振りを行うことができる。これは、個々のＭＴＣ  ＷＴＲＵが同時にＩＰアドレスを要求することにより生ずるネットワークトラフィックを低減させることができる。
【００７９】
ステップ７１０で、ＣＮは、個々のＭＴＣ  ＷＴＲＵグループをページングして、ＩＰアドレス割振り情報、無線ベアラ情報などのＲＲＣ情報、および／またはＰ−ＴＭＳＩ情報を送信することができる。一実施形態では、ＣＮは、事前登録中に活動化されたＭＴＣ  ＷＴＲＵグループだけをページングすることができる。ＣＮ５０６は、ＭＴＣグループに関連付けられたグループ識別子を用いて、個々のＭＴＣグループ５０８ａ〜５０８ｄをページングすることができる。例えば、ＣＮ５０６は、その個々のＩＭＳＩを用いて、ＭＴＣグループ５０８ａ〜５０８ｄにページングまたはブロードキャストすることができる。
【００８０】
図６に戻って参照すると、ステップ６３０で、ＭＴＣ  ＷＴＲＵは、無線リソースおよびＩＰアドレス情報を取得することができる。例えば、ＭＴＣ  ＷＴＲＵは、ＭＴＣ／Ｍ２Ｍ技術を用いて情報を処理できる図１Ｂに関して述べたプロセッサ１１８などのプロセッサを含むことができる。プロセッサは、無線リソースおよびＩＰアドレス情報を取得するように構成することができる。ＭＴＣグループ５０８ａ〜５０８ｄは、ＣＮ５０６によりページングされうる。例えば、ＣＮ５０６は、ＩＰアドレス割振り情報、無線ベアラ情報などのＲＲＣ情報、および／またはＰ−ＴＭＳＩを送信するために、ＭＴＣ  ＷＴＲＵグループをページングすることができる。
【００８１】
一実施形態では、ＭＴＣ  ＷＴＲＵは、無線リソース、割り振られたＩＰアドレス情報、および／またはＰ−ＴＭＳＩを含むことのできるブロードキャストまたはページをＣＮから受信することができる。一実施形態では、ＭＴＣ  ＷＴＲＵは、専用のチャネルを介して、無線リソース、および／またはＩＰアドレス情報を取得するため指示を受信することができる。例えば、無線リソースおよび／またはＩＰアドレスは、ＭＴＣ  ＷＴＲＵが、このような情報を取得するためにＣＮと交信する前に、ＭＴＣグループに割り振られる／割り当てられている。
【００８２】
ステップ６５０で、ＭＴＣ  ＷＴＲＵは、所定の送信ウィンドウ中にデータを送信することができる。ページングされたＭＴＣグループ内のＭＴＣ  ＷＴＲＵは、受信したＩＰアドレス、ＲＲＣリソース、および／またはＰ−ＴＭＳＩを用いて、データを送信することができる。例えば、ＭＴＣ  ＷＴＲＵの送受信器は、所定の送信ウィンドウでデータを送信するように構成することができる。
【００８３】
例えば、ＭＴＣ  ＷＴＲＵは、データを１つずつ送信することができる。一実施形態では、データ送信するための、ＭＴＣ  ＷＴＲＵに関連付けられた所定の送信ウィンドウを決定することができる。例えば、ＭＴＣ  ＷＴＲＵのプロセッサは、所定の送信ウィンドウを決定するように構成することができる。例えば、図７に戻って参照すると、ステップ７１２で、ＣＮは、ＭＴＣ  ＷＴＲＵグループ内の個々のＭＴＣ  ＷＴＲＵをページングすることにより、一連の報告を制御することができる。ＣＮは、特定のＭＴＣ  ＷＴＲＵに対する各ＷＴＲＵ識別子に基づき、個々のＭＴＣ  ＷＴＲＵをページングすることができる。ＭＴＣ  ＷＴＲＵは、一連の報告に基づき、その所定の送信ウィンドウを待つことができる。一実施形態では、ＭＴＣ  ＷＴＲＵは、ＣＴＣＨ（共通トラフィックチャネル）、および／またはＲＡＣＨ（ランダムアクセスチャネル）でデータをアップロードすることができる。
【００８４】
ステップ７１４で、ＭＴＣ  ＷＴＲＵは、ＵＲＩ／ＵＲＬを用いてＭ２Ｍサービス登録を行うことができる。ステップ７１６で、ＭＴＣ  ＷＴＲＵは、ＭＴＣ  ＡＳ５０４などのアプリケーションサーバにアクセスすることができ、ＵＲＩ／ＵＲＬを用いてデータをアップロードすることができる。例えば、ＭＴＣ  ＷＴＲＵがデータを送信する順番であることを示すＣＮからのページを受信すると、ＭＴＣ  ＷＴＲＵは、その割り当てられた送信ウィンドウでデータを送信することができる。
【００８５】
図７で示すように、ステップ７１８で、ＭＴＣ  ＷＴＲＵグループ中の最後のＭＴＣ  ＷＴＲＵが報告を終了した後、ＣＮは、ＭＴＣ  ＷＴＲＵグループに対する無線リソースを解放することができる。例えば、報告期間の最後に、報告を行うことのできる最後のＭＴＣ  ＷＴＲＵは、無線リソースを解放する。最後のＷＴＲＵは、Ｍ２ＭサーバとのグループのＭＴＣセッションを終了することができ、またグループに関連付けられたＩＰアドレスを解放することも解放しないこともできる。一実施形態では、ＣＮは、ＭＴＣ  ＷＴＲＵグループに対して割り当てられたＩＰアドレスを維持することができる。一実施形態では、ＣＮは、ＭＴＣ  ＷＴＲＵグループに対して割り振られたＩＰアドレスを解放することができる。一実施形態では、ＣＮは、ＭＴＣ  ＷＴＲＵグループに対する登録状況を維持することができる。一実施形態では、ＣＮは、ＭＴＣ  ＷＴＲＵグループに対する登録状況を解放することができる。例えば、登録プロセスが、定期的なイベントによりトリガされた場合、ＭＴＣ  ＷＴＲＵグループに対する登録状況は、定期的なイベント／オペレーションが完了した後、維持されない可能性がある。
【００８６】
ステップ７２０で、ＭＴＣ  ＷＴＲＵは、スリープサイクルへと移行することができる。ステップ７２２で、ＭＴＣ  ＷＴＲＵはウェイクアップし、制御チャネルを待ち受けることができる。一実施形態では、ＭＴＣ  ＷＴＲＵは、所定の時間間隔に基づいて定期的にウェイクアップすることができる。例えば、公共サービスメータは、公共サービス消費量を公共サービス供給者に報告するために、毎週および／または毎月ウェイクアップすることができる。ステップ７２４で、ＭＴＣ  ＷＴＲＵは、制御チャネルが存在するかどうかを判定することができる。制御チャネルが存在する場合、ＭＴＣ  ＷＴＲＵは、ＭＴＣ  ＷＴＲＵが制御サイクル中にあるかどうかを判定することができる。
【００８７】
ＭＴＣ  ＷＴＲＵが制御サイクル中にあるとの判定に基づいて、ステップ７３０で、ＭＴＣ  ＷＴＲＵは、ページングメッセージを受信しているかどうかを判定することができる。ＭＴＣ  ＷＴＲＵが、ページングメッセージを受信していない場合、ＭＴＣ  ＷＴＲＵは、ステップ７２２で示したように、システム更新を引き続き待ち受けることができる。ＭＴＣ  ＷＴＲＵがページングメッセージを受信している場合、ステップ７３２で、ＭＴＣ  ＷＴＲＵは、ページングメッセージがグループのページングメッセージであるかどうかを判定することができる。ページングメッセージがグループのページングメッセージではない場合、ステップ７３４で、ＭＴＣ  ＷＴＲＵは、無線リソースを取得するために１つまたは複数のアクションを行うことができる。例えば、ＭＴＣ  ＷＴＲＵは、構成プロセスを開始するために、ＭＴＣグループ中のマスタＭＴＣを利用しないこともありうる。例えば、ステップ７１８でＩＰアドレスが解放された場合、ステップ７３６で、ＭＴＣ  ＷＴＲＵは、ＩＰアドレスおよび／または無線リソースを求める要求をＣＮに送信することにより、ＷＴＲＵベースのＩＰアドレスを取得することができる。
【００８８】
一実施形態では、ページングメッセージがグループのページングメッセージである場合、ステップ７２８で、ＭＴＣ  ＷＴＲＵは、ＭＴＣグループ中のマスタＭＴＣを識別することができる。マスタＭＴＣは、ＣＮにより、かつ／または事前構成のプロセスでＭＴＣにより選択することができ、必要に応じて、または適切な時間にＣＮにより選択することができ、ページングメッセージ中の情報に基づき選択することができ、ランダム選択に基づくことができ、かつ／またはハッシュ関数を用いて選択することができる。一実施形態では、ＭＴＣ  ＷＴＲＵは、第２のページングメッセージを待つことができる。
【００８９】
ＭＴＣ  ＷＴＲＵが制御サイクル中にはないとの判定に基づいて、ステップ７２６で、ＷＴＲＵは、ＭＴＣ  ＷＴＲＵが報告サイクル中にあると判定することができる。ＭＴＣ  ＷＴＲＵが報告サイクル中にあるとの判定に応じて、ステップ７２８で、ＭＴＣ  ＷＴＲＵは、ＭＴＣグループ中のマスタＭＴＣ  ＷＴＲＵを識別する、または第２のページングメッセージを待つことができる。
【００９０】
ステップ７３４で、ＭＴＣ  ＷＴＲＵは、無線リソースを取得するために、１つまたは複数のアクションを行うことができる。ＭＴＣ  ＷＴＲＵがマスタＭＴＣ  ＷＴＲＵである場合、ＭＴＣ  ＷＴＲＵは、それが関連するＭＴＣグループのために無線リソースを取得することができる。ＭＴＣ  ＷＴＲＵがマスタＭＴＣ  ＷＴＲＵではない場合、ＭＴＣ  ＷＴＲＵは、ＭＴＣグループのマスタＭＴＣ  ＷＴＲＵから無線リソースを取得することができる。
【００９１】
ステップ７３８で、ＭＴＣ  ＷＴＲＵは、ユーザプレーンの無線リソース情報を取得することができる。ＭＴＣ  ＷＴＲＵは、Ｍ２Ｍサービス登録を行うことができる。ステップ７４０で、Ｍ２Ｍサービス登録は、１つまたは複数のＵＲＬまたはＵＲＩを用いて行うことができる。ＵＲＬおよび／またはＵＲＩは、例えば、ＭＴＣ  ＷＴＲＵに関連付けられたアカウントに関係する情報に基づくことができる。ステップ７４２で、ＭＴＣ  ＷＴＲＵは、アプリケーションサーバにアクセスし、データをアップロードすることができる。データをサーバにアップロードすることは、ＵＲＬおよび／またはＵＲＩを用いて行うことができる。ステップ７４６で、最後の送信が完了した後、ＣＮは無線リソースを解放することができる。ＭＴＣ  ＷＴＲＵおよび／またはネットワークは、ＩＰアドレスを維持することができ、かつ／またはＭＴＣ  ＷＴＲＵおよび／またはＭＴＣグループの登録状況を維持することができる。ステップ７２０で、ＭＴＣ  ＷＴＲＵはスリープサイクルへと戻ることができる。
【００９２】
一実施形態では、ＭＴＣ  ＷＴＲＵを、グループのためにＩＭＳＩ接続を行うようにネットワークにより選択することができる。選択されたＭＴＣ  ＷＴＲＵは、「マスタＭＴＣ  ＷＴＲＵ」と呼ぶことができる。マスタＭＴＣは、グループのためにＩＭＳＩ接続を行うことができる。マスタＭＴＣ  ＷＴＲＵはさらに、グループのためにＲＲＣリソース、Ｐ−ＴＭＳＩ、ＩＰアドレス、または他のリソースもしくはデータなど、情報および／またはリソースを取得することができる。
【００９３】
マスタＭＴＣが選択されたが、マスタＭＴＣ  ＷＴＲＵの役割に関連する活動を行うことに失敗した場合、別のＭＴＣ  ＷＴＲＵがグループに対するマスタＭＴＣとして選択され、マスタＭＴＣ  ＷＴＲＵの活動を行うことができる。マスタＭＴＣの障害の検出は、ネットワーク、マスタＭＴＣそれ自体、および／またはグループ内もしくは外にある他のＭＴＣ  ＷＴＲＵにより行うことができる。
【００９４】
上記で述べたように、ＭＴＣグループは、「グループＩＤ」などのグループ識別子を用いて識別することができる。各ＭＴＣ  ＷＴＲＵは、その対応するグループＩＤの知識を有することができる。ＭＴＣグループ中のＭＴＣ  ＷＴＲＵは、スリープサイクルからウェイクアップすると、ブロードキャストチャネルで待ち受けることができる。ＭＴＣ  ＷＴＲＵが、ＩＭＳＩを含むことのできるブロードキャストメッセージを受信した場合、ＭＴＣ  ＷＴＲＵは、そのＩＭＳＩが、ＭＴＣグループに関連付けられたグループＩＭＳＩに一致するかどうかを判定することができる。ＩＭＳＩが、ＭＴＣグループに関連付けられたグループＩＭＳＩと一致すると判定した場合、ＭＴＣ  ＷＴＲＵは、受信したブロードキャストメッセージをさらに処理することができる。ＩＭＳＩが、ＭＴＣグループに関連付けられたグループＩＭＳＩと一致すると判定された場合、ＭＴＣ  ＷＴＲＵは、受信したブロードキャストメッセージを破棄することができる。例えば、ＭＴＣ  ＷＴＲＵは、受信したＳＩＢ（システム情報ブロック）中でグループＩＤを探すことができる。ＭＴＣ  ＷＴＲＵが、一致するグループＩＤを見出せない場合、ＭＴＣ  ＷＴＲＵは、受信したＳＩＢに応じて何らかの活動を開始することはできない。ＳＩＢは、これだけに限らないが、グループＩＤ、スリープサイクル、制御サイクル、および／または報告サイクルに関する情報などの情報を含むことができる。
【００９５】
ＳＩＢは、「ＡＴＴＡＣＨ＿ＡＣＣＥＰＴ」と呼ばれるフラグなど、接続受入れフラグを含むことができ、それは、マスタＭＴＣがＣＮへの登録に成功したとき、ブロードキャストされうる。マスタＭＴＣ  ＷＴＲＵは、このフラグがそのスリープサイクル後に設定されたのではない場合、再登録することができる。「スレーブＭＴＣ  ＷＴＲＵ」とも呼ばれるグループ中の他のＭＴＣ  ＷＴＲＵは、フラグが設定された場合、アクションを開始することができる。
【００９６】
ＭＴＣ  ＷＴＲＵが、ネットワークへの接続に成功した場合、ＳＧＳＮ（サポートノード）でありうるサービングＧＰＲＳ（Ｇｅｎｅｒａｌ  ｐａｃｋｅｔ  ｒａｄｉｏ  ｓｅｒｖｉｃｅ：汎用パケット無線サービス）は、ＰＤＰ（パケットデータプロトコル）コンテキストを割り振ることができる。ＭＭＥ（ｍｏｂｉｌｉｔｙ  ｍａｎａｇｅｍｅｎｔ  ｅｎｔｉｔｙ）の場合、ＩＰ（インターネットプロトコル）アドレスが、ＡＴＴＡＣＨ＿ＲＥＱＵＥＳＴメッセージで利用することができる。完全な、または部分的なＰＤＰコンテキストを、ＭＴＣ装置に送信することができる。
【００９７】
一実施形態では、ＭＴＣ通信のためのＲＮＣ（無線ネットワーク制御装置）で、ＲＢ（リソースブロック）を事前に割り当てる／事前に予約する（ＲＢｎ）ことができる。ＲＢは、各ＭＴＣ通信に対して生成され、ＭＴＣに伝達されうる。ＲＢが生成された場合、ＲＢを、ＭＴＣ  ＷＴＲＵに伝達することができる。
【００９８】
「ページングタイプ１」メッセージは、ＭＴＣ装置を示すために使用することができる。メッセージ中には変更されたＩＥ（情報要素）があるはずである。メッセージ中にある変更されたＩＥは、アカウント番号、ＲＢ  ＩＤ、および／またはＰＤＰコンテキストを含むように変更できるＷＴＲＵ  ＩＤを含むことができる。メッセージ中の変更されたＩＥはまた、Ｍ２Ｍデータアップロードを示すように設定されたページ理由（ｐａｇｅ  ｃａｕｓｅ）を含むことができる。
【００９９】
Ｍ２Ｍハブ／ゲートウェイからの、ネットワークで開始され制御されたデータ収集を実施するための方法で使用されるシグナリングおよびデータ伝送の例を、以下でより詳細に述べる。
【０１００】
図８Ａは、マスタＭＴＣに対してＭ２Ｍ通信を行う流れ図を示している。例えば、マスタＭＴＣ  ＷＴＲＵは、ＭＴＣ／Ｍ２Ｍ技術を用いて通信できる図１Ａ〜Ｅに関して述べたものなど、ＷＴＲＵを含むことができる。例えば、マスタＭＴＣは、図Ｂに関して述べた送受信器およびプロセッサを含むことができる。送受信器は、マスタＭＴＣとして登録要求を開始するための指示を受信し、その所定の送信ウィンドウ中にデータを送信するように構成することができる。プロセッサは、ＭＴＣグループのために、ネットワーク登録プロセスを実施し、無線リソースおよびＩＰアドレス情報を取得するように構成することができる。
【０１０１】
図８で示すように、ステップ８１０で、マスタＭＴＣとして登録要求を開始するための指示を受信することができる。ステップ８２０で、マスタＭＴＣは、ＭＴＣグループのためにネットワーク登録プロセスを行うことができる。例えば、マスタＭＴＣは、ＭＴＣグループ中のＭＴＣ  ＷＴＲＵを識別できる情報を含むネットワーク接続要求を送信することができ、したがって、ネットワークは、ＭＴＣグループ中のＭＴＣ  ＷＴＲＵに接続受入れメッセージを送信することができる。ネットワーク接続要求は、ＭＴＣグループに関連付けられたグループＩＭＳＩ、および／またはネットワーク接続要求におけるＭＴＣグループ中のＭＴＣ  ＷＴＲＵのすべて、もしくは一部に対するＷＴＲＵ識別子を含むことができる。
【０１０２】
ステップ８３０で、マスタＭＴＣは、無線リソースおよびＩＰアドレス情報を取得することができる。例えば、ＭＴＣ  ＷＴＲＵは、無線リソース、割り当てられたＩＰアドレス情報、および／またはＰ−ＴＭＳＩを含むことのできるブロードキャストもしくはページをＣＮから受信することができる。一実施形態では、ＭＴＣ  ＷＴＲＵは、無線リソースおよび／またはＩＰアドレス情報を、専用チャネルを介して取得するための指示を受信することができ、ＭＴＣ  ＷＴＲＵは、その指示に基づいてこのような情報を取得することができる。
【０１０３】
ステップ８４０で、マスタＭＴＣは、その所定の送信ウィンドウでデータを送信することができる。例えば、マスタＭＴＣは、その送信ウィンドウを待つことができる。送信ウィンドウは、ネットワークにより指示することができる。例えば、マスタＭＴＣは、ページを受信するとデータを送信することができる。個々のＭＴＣ  ＷＴＲＵに対する送信ウィンドウは、事前に構成することができ、ランダムに選択することができ、かつ／またはハッシュ関数に基づいて決定することができる。マスタＭＴＣの送信ウィンドウ中に、ＭＴＣは、取得したＩＰアドレスおよび無線リソースを用いて専用チャネルを介してＭ２Ｍユーザにデータを送信することができる。
【０１０４】
送信が完了すると、マスタＭＴＣは、無線リソース、ＩＰアドレス、および／または登録状況を解放するためのネットワークの指示を待つことができる。ネットワークがマスタＭＴＣに通信したとき、マスタＭＴＣはこのような指示を探すことができ、受信した指示に従って無線リソース、ＩＰアドレス、および／または登録状況を解放することができる。
【０１０５】
図８Ｂは、スレーブＭＴＣに対してＭ２Ｍ通信を行うための流れ図を示す。例えば、スレーブＭＴＣ  ＷＴＲＵは、ＭＴＣ／Ｍ２Ｍ技術を用いて通信することのできる図１Ａ〜Ｅに関して述べたものなど、ＷＴＲＵを含むことができる。例えば、スレーブＭＴＣは、図Ｂに関して述べた送受信器およびプロセッサを含むことができる。送受信器は、ページングまたはブロードキャストを待ち受けて、その所定の送信ウィンドウでデータを送信するように構成することができる。プロセッサは、無線リソース、およびＩＰアドレス情報を取得するように構成することができる。
【０１０６】
図８で示すように、ステップ８６０で、スレーブＭＴＣは、ページングまたはブロードキャストを待ち受けることができる。例えば、スレーブＭＴＣは、スリープサイクルからウェイクアップし、ブロードキャストチャネル（複数可）で待ち受けることができる。例えば、スレーブＭＴＣは、ブロードキャストによりＳＩＢｎなどのＳＩＢを受信することができる。スレーブＭＴＣは、ＳＩＢｎ中のそのグループＩＤを調べることができる。グループＩＤが一致した場合、スレーブＭＴＣは、「スリープサイクル」、「報告サイクル」、または「制御サイクル」が進行中であるかどうかを判定することができる。スレーブＭＴＣは、タイマを開始し、ＭＴＣグループがネットワークに接続されたという指示を待ち受けることができる。
【０１０７】
例えば、スレーブＭＴＣは、ブロードキャストによりＳＩＢｎなどのＳＩＢを受信することができる。スレーブＭＴＣは、ＳＩＢｎ中でそのグループＩＤを調べることができる。グループＩＤが一致した場合、スレーブＭＴＣは、「ＡＴＴＡＣＨ  ＡＣＣＥＰＴ」フラグが設定されたかどうかを調べることができる。上記で述べたように、「ＡＴＴＡＣＨ  ＡＣＣＥＰＴ」フラグは、マスタＭＴＣがＭＴＣグループのためにネットワーク接続プロセスを完了しており、ＩＰアドレスおよび無線リソースがグループに割り振られたことを示すことができる。
【０１０８】
ステップ８７０で、スレーブＭＴＣは、無線リソースおよびＩＰアドレス情報を取得することができる。例えば、スレーブＭＴＣ  ＷＴＲＵは、無線リソース、割り当てられたＩＰアドレス情報、および／またはＰ−ＴＭＳＩを含むことができるブロードキャストまたはページをＣＮから受信することができる。一実施形態では、スレーブＭＴＣは、専用チャネルにより、無線リソースおよび／またはＩＰアドレス情報を取得するための指示を受信することができる。一実施形態では、スレーブＭＴＣは、専用チャネルにより、無線リソースおよび／またはＩＰアドレス情報を取得するための指示を受信することができ、スレーブＭＴＣ  ＷＴＲＵは、指示に基づいてこのような情報を取得することができる。
【０１０９】
ステップ８８０で、スレーブＭＴＣは、その所定の送信ウィンドウでデータを送信することができる。例えば、スレーブＭＴＣは、その送信ウィンドウを待つことができる。例えば、スレーブＭＴＣは、ページを受信するとデータを送信することができる。スレーブＭＴＣの送信ウィンドウ中に、スレーブＭＴＣは、取得したＩＰアドレスおよび無線リソースを用いて、専用チャネルを介してＭ２Ｍユーザにデータを送信することができる。
【０１１０】
図９Ａおよび９Ｂは、Ｍ２Ｍ通信を行うための方法の流れ図を示している。図９Ａで示すように、ブロック９５２で、マスタＭＴＣ１  ９１０などのマスタＭＴＣがウェイクアップし、ブロードキャストチャネルで待ち受けることができる。マスタＭＴＣは、登録要求を開始するためのページのブロードキャストを受信することができる。例えば、マスタＭＴＣは、ブロードキャストを介してＳＩＢｎなどのＳＩＢを受信することができる。マスタＭＴＣは、ＳＩＢｎ中でそのグループＩＤを調べることができる。グループＩＤが一致した場合、マスタＭＴＣは、「スリープサイクル」、「報告サイクル」、または「制御サイクル」が進行中であるかどうかを判定することができる。
【０１１１】
ブロック９５４で、ＭＴＣ２  ９２０などのスレーブＭＴＣがウェイクアップし、ブロードキャストチャネルで待ち受けることができる。例えば、スレーブＭＴＣは、ブロードキャストを介してＳＩＢｎなどのＳＩＢを受信することができる。スレーブＭＴＣは、ＳＩＢｎ中でそのグループＩＤを調べることができる。グループＩＤが一致した場合、マスタＭＴＣは、「スリープサイクル」、「報告サイクル」、および「制御サイクル」を読み取る。スレーブＭＴＣは、タイマを開始し、ＭＴＣグループが、ネットワークに接続されたという指示を待ち受けることができる。例えば、スレーブＭＴＣは、同じグループＩＤを対象とするＳＩＢ中に「ＡＴＴＡＣＨ  ＡＣＣＥＰＴ」フラグが設定されているかどうかを調べることができる。
【０１１２】
例えば、図９Ａで示すように、マスタＭＴＣは、「ＡＴＴＡＣＨ  ＡＣＣＥＰＴ」フラグを調べることができる。フラグが設定されていない場合、ブロック９５５で、マスタＭＴＣは、ＭＴＣグループのためにＩＰアドレス構成を行うことができる。例えば、マスタＭＴＣは、ネットワーク接続要求、または「ＩＭＳＩ  ＡＴＴＡＣＨ」メッセージなどのＩＭＳＩ接続要求をネットワークに送信することができる。ＩＭＳＩ  ＡＴＴＡＣＨメッセージでは、マスタＭＴＣは、ＭＴＣグループに関連付けられたＩＭＳＩ、および／またはＭＴＣグループ中のＭＴＣ  ＷＴＲＵのすべて、または一部に対するアカウント番号などのＷＴＲＵ識別子を送信することができる。ブロック９５６で、認証、暗号化要求、および／またはセキュリティモードコマンドなどのセキュリティ手続きを実行することができる。
【０１１３】
ＭＴＣグループが成功裡にネットワークに接続した後、ブロック９５８で、ＳＧＳＮ９５０などのＳＧＳＮ／ＧＧＳＮ／ＭＭＥは、接続受入れ指示をＭＴＣ  ＷＴＲＵにブロードキャストすることができる。例えば、接続受入れ指示は、ＳＩＢｎ中のフラグとして、対応するグループＩＤに基づきＭＴＣ  ＷＴＲＵに対してブロードキャストすることができる。フラグは、「ＡＴＴＡＣＨ  ＡＣＣＥＰＴ」フラグと呼ぶことができる。ブロック９６０で、「ＡＴＴＡＣＨ  ＡＣＣＥＰＴ」フラグは、登録が有効である限り連続してブロードキャストされうる。
【０１１４】
一実施形態では、ＭＴＣグループからの接続手続きが成功すると、ＰＤＰコンテキストの活動化をトリガすることができる。例えば、ブロック９６６で、ＳＧＳＮ９５０は、グループＩＤに基づき、ＭＴＣグループからデータを取り出す必要があると判定することができる。一実施形態では、ＰＤＰコンテキストは、低いデータレート送信のために作成することができる。ＳＧＳＮ９５０は、ＲＮＣ９４０などのＲＮＣをトリガして、ＰＤＰコンテキストをＭＴＣグループに送信することができる。ＳＧＳＮ９５０は、同時に１群のＭＴＣ  ＷＴＲＵに対してページングすることができる。
【０１１５】
ブロック９６４で、ＲＮＣ９４０は、ＲＡＣＨを介してＭ２Ｍ通信に対するＲＢ  ＩＤを送信することができる。ＲＮＣ９４０は、ページングタイプ１メッセージを用いてＭＴＣ  ＷＲＴＵにＰＤＰコンテキスト情報を送信するように構成することができる。ＲＢ  ＩＤは、グループ中のＭＴＣ  ＷＲＴＵには知られている、またはページングメッセージの一部として送信することができる。
【０１１６】
ブロック９６２で、マスタＭＴＣおよびスレーブＭＴＣ（複数可）を含むＭＴＣ  ＷＲＴＵは、ページングチャネル情報を取得するために、ＳＩＢ、すなわち、ＳＩＢ５を読み取るように構成することができる。ＭＴＣは、ＰＩＣＨ（Ｐａｇｉｎｇ  Ｉｎｄｉｃａｔｏｒ  Ｃｈａｎｎｅｌ：ページングインジケータチャネル）、および／またはＰＣＨ（Ｐａｇｉｎｇ  Ｃｈａｎｎｅｌ：ページングチャネル）などのページングチャネルを監視することができる。
【０１１７】
図９Ｂへと進むと、ブロック９６８で、ＭＴＣ  ＷＲＴＵは、ＲＮＣ９４０から「ページングタイプ１」メッセージを受信することができる。「ページングタイプ１」メッセージは、ページング理由、ＣＮ識別、ＵＥ識別、ＲＢ  ＩＤ、および／またはＰＤＰコンテキスト情報を含むことができる。例えば、受信した「ページングタイプ１」メッセージは、Ｍ２Ｍデータアップロードに設定されたページ理由を含むことができる。一実施形態では、ページングメッセージは、ＣＴＣＨ（共通トラフィックチャネル）／ＲＡＣＨ（ランダムアクセスチャネル）を介して、感知したデータを送信するようにＭＴＣに指示することができる。
【０１１８】
Ｍ２Ｍデータアップロードに設定されたページ理由を有する「ページングタイプメッセージ」を受信すると、ＲＡＣＨ通信に対して、ＲＲＣ（無線リソース制御）により、ＭＡＣ（媒体アクセス制御）／ＲＬＣ（無線リンク制御）の構成をトリガすることができる。ＭＴＣは、ＲＢ  ＩＤおよびＰＤＰコンテキストを使用して、ＣＴＣＨ／ＲＡＣＨを介して調整ノードにデータを送信することができる。ページングの機会、およびＲＡＣＨ送信は、ＲＡＣＨ衝突が最小化されるような方法で、グループごとにＣＮにより制御することができる。例えば、ＭＴＣ１がページングされた後、ＭＴＣ１がＲＡＣＨ送信を行うことのできる十分なウィンドウを有した後に、ＭＴＣ２がページングされうる。
【０１１９】
ブロック９７０で、ＲＲＣ９４０は、ＡＳＣパラメータ、プリアンブルランピングサイクル（ｐｒｅａｍｂｌｅ  ｒａｍｐｉｎｇ  ｃｙｃｌｅ）の最大数、バックオフ間隔の範囲を送信することにより、ＭＡＣおよびＲＬＣを構成することができる。例えば、ＭＴＣは、ＳＩＢ５／６／７により構成情報を取得することができる。ブロック９７２で、ＲＲＣは、ＲＢ  ＩＤおよびＰＤＰコンテキストに関して上位層に通知することができる。
【０１２０】
ブロック９７６で、複数のＭＴＣからのデータ送信を定期的に送信することができる。例えば、ＭＴＣは、次のＭＴＣがページングされる前に各ＭＴＣがＲＡＣＨ送信を完了できるように、定期的にページングされ制御されうる。
【０１２１】
本明細書で述べた例示的な実施形態は、ＩＰアドレスに即して行われているが、本技法は、他のネットワークアドレスに対しても適用されることを理解されたい。様々な実施形態が、様々な図と共に述べられているが、他の同様の実施形態も使用できること、またはその実施形態から逸脱することなく様々な実施形態の同様の機能を実施するために、変更および追加を前述の実施形態に加えうることを理解されたい。したがって、諸実施形態は、いずれかの単一の実施形態に限定されるべきではなく、添付の特許請求の範囲による広さおよび範囲で解釈すべきである。
【図１Ａ】
0005409930.tif 000002
【図１Ｂ】
0005409930.tif 000003
【図１Ｃ】
0005409930.tif 000004
【図１Ｄ】
0005409930.tif 000005
【図１Ｅ】
0005409930.tif 000006
【図２】
0005409930.tif 000007
【図３】
0005409930.tif 000008
【図４】
0005409930.tif 000009
【図５】
0005409930.tif 000010
【図６】
0005409930.tif 000011
【図７】
0005409930.tif 000012
【図８Ａ】
0005409930.tif 000013
【図８Ｂ】
0005409930.tif 000014
【図９Ａ】
0005409930.tif 000015
【図９Ｂ】
0005409930.tif 000016